(57)【特許請求の範囲】
【請求項１】
座標値および／またはコード値が繰り返し定義されたドットパターンが少なくとも一部領域に配置され、該一部領域の少なくとも一部に書き込み領域が設けられた表示パネルを備える手書き入力ボードと、
該表示パネルをなぞるかまたはタッチして軌跡を描くスキャナーペンと、
を備えた手書き入力ボードを用いた手書き入力システムであって、
該スキャナーペンは、
該表示パネルに設けられた該ドットパターンを光学的に読み取る光学読取手段と、ドットコード解析手段を備え、
該表示パネルをなぞるかまたはタッチして該ドットパターンを連続して撮像し、該ドットコード解析手段により、該ドットパターンを解析して座標値および／またはコード値を出力し、
該手書き入力ボードは、
該スキャナーペンでなぞるかまたはタッチした軌跡が所定の表示方法により該表示パネルに可視的に表示され、
表示された該軌跡を消去するための消去手段を備え、
前記表示パネルは、
少なくとも前記ドットパターンが配置された領域において、赤外線を吸収するインクで印刷された該ドットパターンを配置し、該ドットパターンを形成するドット部分を除く領域は赤外線を拡散反射し、
前記光学読取手段は、
所定の波長の赤外線を照射する赤外線照射手段と、
所定の波長領域の赤外線のみを透過する赤外線フィルターと、
少なくとも透過した該赤外線を検出することにより画像を撮像できるセンサーを備え、
該表示パネルに形成された該ドットパターンを撮像し、
前記表示パネルは、磁性粒子と分散媒とからなる分散流体を封入した磁気泳動表示パネル、または、顔料微粒子と分散媒とからなる分散流体を封入した電気泳動表示パネルを設け、
前記分散流体には赤外線反射粒子が混入されており、赤外線を拡散反射させる、
手書き入力ボードを用いた手書き入力システム。
【請求項２】
座標値および／またはコード値が繰り返し定義されたドットパターンが少なくとも一部領域に配置され、該一部領域の少なくとも一部に書き込み領域が設けられた表示パネルを備える手書き入力ボードと、
該表示パネルをなぞるかまたはタッチして軌跡を描くスキャナーペンと、
を備えた手書き入力ボードを用いた手書き入力システムであって、
該スキャナーペンは、
該表示パネルに設けられた該ドットパターンを光学的に読み取る光学読取手段と、ドットコード解析手段を備え、
該表示パネルをなぞるかまたはタッチして該ドットパターンを連続して撮像し、該ドットコード解析手段により、該ドットパターンを解析して座標値および／またはコード値を出力し、
該手書き入力ボードは、
該スキャナーペンでなぞるかまたはタッチした軌跡が所定の表示方法により該表示パネルに可視的に表示され、
表示された該軌跡を消去するための消去手段を備え、
該スキャナーペンは、
軌跡情報を生成する軌跡情報生成手段と、
前記軌跡情報を記憶する記憶手段と、
前記軌跡情報を情報処理装置に対し送信する送信手段と、
前記軌跡が前記消去手段で消去される際に発せられる所定の音声を認識すると、前記軌跡情報を前記記憶手段に記憶させること、および前記軌跡情報を前記送信手段で前記情報処理装置に対し送信させること、の少なくともいずれかを実行する音声認識手段と、
を備えている、
手書き入力ボードを用いた手書き入力システム。
【請求項３】
前記少なくとも一部領域に配置されたドットパターンには、
所定の領域または全領域に、所定の書き込み領域を特定するコード値が定義されている、
ことを特徴とする請求項１または２記載の手書き入力ボードを用いた手書き入力システム。
【請求項４】
前記少なくとも一部領域に配置されたドットパターンには、
所定の領域に指示命令および／または情報が関連付けられたコード値が定義されている、
ことを特徴とする請求項１または２記載の手書き入力ボードを用いた手書き入力システム。
【請求項５】
前記表示パネルは、
少なくとも前記ドットパターンが配置された領域において、赤外線を吸収するインクで印刷された該ドットパターンを配置し、該ドットパターンを形成するドット部分を除く領域は赤外線を拡散反射し、
前記光学読取手段は、
所定の波長の赤外線を照射する赤外線照射手段と、
所定の波長領域の赤外線のみを透過する赤外線フィルターと、
少なくとも透過した該赤外線を検出することにより画像を撮像できるセンサーを備え、
該表示パネルに形成された該ドットパターンを撮像する、
請求項２記載の手書き入力ボードを用いた手書き入力システム。
【請求項６】
前記表示パネルには、前記ドットパターンに赤外線を反射または透過するインクで文字や表、画像を重畳印刷する、
ことを特徴とする請求項１または５記載の手書き入力ボードを用いた手書き入力システム。
【請求項７】
前記表示パネルには、
透過シートのいずれかの一面側に前記ドットパターンが配置されたドットパターン層と、
該ドットパターン層と該表示パネルとの間に位置する赤外線拡散反射層と、が設けられている、
請求項５記載の手書き入力ボードを用いた手書き入力システム。
【請求項８】
前記表示パネル側と反対側に前記ドットパターン層が設けられた場合には、赤外線および可視光を透過する特性を有する保護層が前記透過シートに積層されている、
ことを特徴とする請求項７記載の手書き入力ボードを用いた手書き入力システム。
【請求項９】
前記表示パネル側に前記ドットパターン層が設けられた場合には、該ドットパターン層の上部に前記赤外線拡散反射層を積層し、
該表示パネル側と反対側に該ドットパターン層が設けられた場合には、該ドットパターン層の下部に該赤外線拡散反射層を積層し、該ドットパターン層の上部に赤外線および可視光を透過する特性を有する保護層と、が前記透過シートに積層されている、
ことを特徴とする請求項７記載の手書き入力ボードを用いた手書き入力システム。
【請求項１０】
前記スキャナーペンは、先端部に磁石が設けられており、
前記磁気泳動表示パネルの少なくとも一部が前記書き込み領域であり、前記スキャナーペンでなぞった軌跡が前記磁性粒子の泳動により表示され、
前記消去手段は、該磁気泳動表示パネルの裏側から磁化されたイレーザーでなぞって該書き込み領域に描かれた該軌跡を該磁性粒子の泳動により消去する、
ことを特徴とする請求項１記載の手書き入力ボードを用いた手書き入力システム。
【請求項１１】
前記磁気泳動表示パネルは、少なくとも１以上のマイクロカプセル磁気泳動表示シートで形成されている、
ことを特徴とする請求項１０記載の手書き入力ボードを用いた手書き入力システム。
【請求項１２】
前記マイクロカプセル磁気泳動表示シートが、少なくとも２枚以上所定の方法で綴られている、
ことを特徴とする請求項１１記載の手書き入力ボードを用いた手書き入力システム。
【請求項１３】
前記磁性粒子は、発光材で着色されている、
ことを特徴とする請求項１０記載の手書き入力ボードを用いた手書き入力システム。
【請求項１４】
前記スキャナーペンは、先端部に電極が設けられており、
前記電気泳動表示パネルの少なくとも一部が前記書き込み領域であり、前記スキャナーペンでなぞるかまたはタッチした軌跡が前記顔料微粒子の泳動により表示され、
前記消去手段は、電圧印加により該書き込み領域に描かれた該軌跡を該顔料微粒子の泳動により消去する、
ことを特徴とする請求項１記載の手書き入力ボードを用いた手書き入力システム。
【請求項１５】
前記電気泳動表示パネルは、少なくとも１以上のマイクロカプセル電気泳動表示シートで形成されている、
ことを特徴とする請求項１４記載の手書き入力ボードを用いた手書き入力システム。
【請求項１６】
前記スキャナーペンは、
該スキャナーペンで前記表示パネルをなぞるかまたはタッチして軌跡を描いて読み取った座標値および／またはコード値を、前記ドットコード解析手段で前記書き込み領域かそれ以外の領域をなぞるかまたはタッチした軌跡かを区別して、
該書き込み領域の場合は、前記軌跡情報生成手段で軌跡情報を生成する、
ことを特徴とする請求項２記載の手書き入力ボードを用いた手書き入力システム。
【請求項１７】
前記記憶手段は、
前記軌跡情報を記憶媒体に記憶する、
ことを特徴とする請求項２記載の手書き入力ボードを用いた手書き入力システム。
【請求項１８】
前記手書き入力ボードは、前記軌跡情報に対応する前記軌跡を前記消去手段で消去する際に前記所定の音声を発生する音声発生手段を備えている、
ことを特徴とする請求項２記載の手書き入力ボードを用いた手書き入力システム。
【請求項１９】
前記手書き入力ボードは、摺動機構を備えており、
当該摺動機構の作動により、前記スキャナーペンの軌跡を可視的に消去可能にするとともに、前記摺動機構の所定周波数の動作音を発生させる手段を備えており、
前記スキャナーペンは、前記所定周波数の動作音を検出することによって、前記軌跡情報を前記送信手段を経由して前記情報処理装置に対して送信することにより、
手書き入力ボード側に電子機構を備えることなく可視的な軌跡の消去と同時にスキャナーペンからの軌跡情報の送信を可能にしたことを特徴とする請求項２記載の手書き入力ボードを用いた手書き入力システム。
【請求項２０】
前記手書き入力ボードは、摺動機構を備えており、
前記音声発生手段は、前記摺動機構の衝突音を発生させるか、またはさせないための物理的なボタンを備えている、
ことを特徴とする請求項１８記載の手書き入力ボードを用いた手書き入力システム。
【請求項２１】
前記手書き入力ボードは、摺動機構および該摺動機構に対する物理的な係合部を備え、
前記音声発生手段は、前記消去手段で消去する前記軌跡が表示された領域に連動する所定の音声を発生させ、
前記音声認識手段は、該所定の音声を認識し、該音声に連動した領域に表示されていた該軌跡に対応する前記軌跡情報を前記送信手段で前記情報処理装置に対し送信する、
ことを特徴とする請求項１８記載の手書き入力ボードを用いた手書き入力システム。
【請求項２２】
前記スキャナーペンには、さらに出力手段を備え、
該スキャナーペンで前記表示パネルをなぞるかまたはタッチして軌跡を描いて読み取った座標値および／またはコード値を、前記ドットコード解析手段で前記書き込み領域かそれ以外の領域をなぞるかまたはタッチした軌跡かを区別して、
該書き込み領域以外の場合は、該座標値および／またはコード値に対応する音声および／または画像を出力手段で出力・表示する、
ことを特徴とする請求項２記載の手書き入力ボードを用いた手書き入力システム。
【請求項２３】
前記スキャナーペンには、さらに軌跡情報解析手段を備え、
前記書き込み領域の場合は、前記軌跡情報生成手段で軌跡情報を生成し、該軌跡情報を該軌跡情報解析手段で解析し、対応する音声および／または画像を出力手段で出力・表示する、
ことを特徴とする請求項２２記載の手書き入力ボードを用いた手書き入力システム。
【請求項２４】
前記軌跡情報生成手段は、
前記書き込み領域以外の所定の領域を前記スキャナーペンでタッチした後、前記書き込み領域に任意の数字および／または記号をなぞって描き、前記消去手段で消去し、続けて該書き込み領域になぞって描いた軌跡と該所定の数字および／または記号をインデックスとして前記軌跡情報を生成する、
ことを特徴とする請求項２記載の手書き入力ボードを用いた手書き入力システム。
【請求項２５】
前記スキャナーペンは、手書き入力ボードに備えられた前記消去手段に替えて、
前記表示パネルに表示された軌跡を消去するための消去手段を設け、該軌跡の一部または全部を消去できる、
ことを特徴とする請求項１または２記載の手書き入力ボードを用いた手書き入力システム。
【請求項２６】
前記スキャナーペンは、
前記光学読取手段の反対側端部および／または腹部に、前記イレーザーを設け、前記軌跡の一部または全部を消去できる、
ことを特徴とする請求項１０記載の手書き入力ボードを用いた手書き入力システム。
【請求項２７】
前記スキャナーペンは、
防水処理を施してある、
ことを特徴とする請求項１〜２６のいずれかに記載の手書き入力ボードを用いた手書き入力システム。
【請求項２８】
請求項１〜２７のいずれかに記載の手書き入力ボードを用いた手書き入力システムに用いられる手書き入力ボード。
【請求項２９】
請求項１〜２７のいずれかに記載の手書き入力ボードを用いた手書き入力システムに用いられるスキャナーペン。
【請求項３０】
座標値および／またはコード値が繰り返し定義されたドットパターンが少なくとも一部領域に配置され、該一部領域の少なくとも一部に書き込み領域が設けられた表示パネルと、該表示パネルに表示された軌跡を消去するための消去手段を備えた手書き入力ボードと、
該表示パネルに設けられた該ドットパターンを光学的に読み取る光学読取手段と、該ドットパターンを解析して座標値および／またはコード値を出力するドットコード解析手段と、該ドットコード解析手段により解析された座標値または、座標値およびコード値から軌跡情報を生成する軌跡情報生成手段と、該軌跡情報または、座標値および／またはコード値を送信する送信手段と、を備えたスキャナーペンと、
該スキャナーペンと有線または無線で接続された、該軌跡情報を解析する軌跡情報解析手段を備えた情報処理装置と、
を備えた手書き入力ボードを用いた情報処理システムであって、
該光学読取手段は、該スキャナーペンで該表示パネルをなぞるかまたはタッチして軌跡を描いて該表示パネルに設けられたドットパターンを連続して撮像し、
該ドットコード解析手段は、該ドットパターンを解析して、座標値および／またはコード値を出力し、
該表示パネルは、該軌跡を表示し、
該軌跡情報生成手段は、該書き込み領域に描かれた座標値および／またはコード値から該軌跡情報を生成し、
該送信手段は、該軌跡情報または、座標値および／またはコード値を該情報処理装置に送信し、
該情報処理装置は、該軌跡情報を該軌跡情報解析手段で認識し、該認識または、該座標値および／またはコード値に対応した指示命令の実行および／または関連付けられた情報の出力を行い、
前記表示パネルは、
少なくとも前記ドットパターンが配置された領域において、赤外線を吸収するインクで印刷された該ドットパターンを配置し、該ドットパターンを形成するドット部分を除く領域は赤外線を拡散反射し、
前記光学読取手段は、
所定の波長の赤外線を照射する赤外線照射手段と、
所定の波長領域の赤外線のみを透過する赤外線フィルターと、
少なくとも透過した該赤外線を検出することにより画像を撮像できるセンサーを備え、
該表示パネルに形成された該ドットパターンを撮像し、
前記表示パネルは、磁性粒子と分散媒とからなる分散流体を封入した磁気泳動表示パネル、または、顔料微粒子と分散媒とからなる分散流体を封入した電気泳動表示パネルを設け、
前記分散流体には赤外線反射粒子が混入されており、赤外線を拡散反射させる、
ことを特徴とする、手書き入力ボードを用いた情報処理システム。
【請求項３１】
座標値および／またはコード値が繰り返し定義されたドットパターンが少なくとも一部領域に配置され、該一部領域の少なくとも一部に書き込み領域が設けられた表示パネルと、該表示パネルに表示された軌跡を消去するための消去手段を備えた手書き入力ボードと、
該表示パネルに設けられた該ドットパターンを光学的に読み取る光学読取手段と、該ドットパターンを解析して座標値および／またはコード値を出力するドットコード解析手段と、該ドットコード解析手段により解析された座標値または、座標値およびコード値から軌跡情報を生成する軌跡情報生成手段と、前記軌跡情報を記憶する記憶手段と、該軌跡情報または、座標値および／またはコード値を送信する送信手段と、前記軌跡を前記消去手段で消去される際に発せられる所定の音声を認識すると、前記軌跡情報を前記記憶手段に記憶させること、および前記軌跡情報を前記送信手段で前記情報処理装置に対し送信させること、の少なくともいずれかを実行する音声認識手段と、を備えたスキャナーペンと、
該スキャナーペンと有線または無線で接続された、該軌跡情報を解析する軌跡情報解析手段を備えた情報処理装置と、
を備えた手書き入力ボードを用いた情報処理システムであって、
該光学読取手段は、該スキャナーペンで該表示パネルをなぞるかまたはタッチして軌跡を描いて該表示パネルに設けられたドットパターンを連続して撮像し、
該ドットコード解析手段は、該ドットパターンを解析して、座標値および／またはコード値を出力し、
該表示パネルは、該軌跡を表示し、
該軌跡情報生成手段は、該書き込み領域に描かれた座標値および／またはコード値から該軌跡情報を生成し、
該送信手段は、該軌跡情報または、座標値および／またはコード値を該情報処理装置に送信し、
該情報処理装置は、該軌跡情報を該軌跡情報解析手段で認識し、該認識または、該座標値および／またはコード値に対応した指示命令の実行および／または関連付けられた情報の出力を行う、ことを特徴とする、手書き入力ボードを用いた情報処理システム。
【請求項３２】
前記情報処理手段は、記憶装置が装着されると、前記座標値および／またはコード値に対応した指示命令の実行またはマルチメディア情報の出力を行う、
ことを特徴とする、請求項３０または３１記載の手書き入力ボードを用いた情報処理システム。
【請求項３３】
前記スキャナーペンは、複数であり、
前記情報処理装置は、
複数の前記スキャナーペンと有線または無線で接続され、該軌跡情報を解析する軌跡情報解析手段を備えた１または複数であり、
該情報処理装置は、いずれかのスキャナーペンの送信手段から送信された該軌跡情報およびスキャナーペンのＩＤを認識し、該軌跡情報の認識または、該座標値および／またはコード値に対応した指示命令の実行および／または関連付けられた情報の出力を行う、ことを特徴とする、請求項３０または３１記載の手書き入力ボードを用いた情報処理システム。
【請求項３４】
前記ドットパターンは、所定の規則にしたがって線状に連続して複数の基準ドットを配置する工程と、該複数の基準ドットを結ぶ、直線、折れ線および／または曲線からなる第一の仮想基準線を設ける工程と、該基準ドットおよび／または該第一の仮想基準線から所定の位置に定義される、直線および／または曲線からなる少なくとも１以上の第二の仮想基準線を設ける工程と、該第二の仮想基準線上の所定の位置に複数の仮想基準点を設ける工程と、該仮想基準点を始点としてベクトルにより表現した終点に、該仮想基準点からの距離と方向とでＸＹ座標値および／またはコード値が定義される情報ドットを配置する工程に従って配列した、ストリームドットパターンを複数並べて形成される請求項１〜２７のいずれかに記載の手書き入力ボードを用いた手書き入力システム、請求項２８記載の手書き入力ボード、または請求項３０〜３３のいずれかに記載の手書き入力ボードを用いた情報処理システム。
【請求項３５】
前記ストリームドットは、
第二の仮想基準線を定義するために、および/または前記ドットパターンの方向と１つのＸＹ座標値および／またはコード値を定義するために、さらに基準となる基準ドットを所定の位置に設けた
ことを特徴とする請求項３４記載の手書き入力ボードを用いた手書き入力システム、手書き入力ボードまたは手書き入力ボードを用いた情報処理システム。
【発明の詳細な説明】
【技術分野】
【０００１】
本発明は、ドットパターンが設けられた手書き入力ボードおよび手書き入力ボードを用いた情報処理システムに関する。
【背景技術】
【０００２】
従来から、磁気泳動表示パネルを使用した磁気ボードが知られている。この磁気ボードは、磁気泳動表示パネルの表側の基板面を磁気ペンでなぞると、磁気ペンの磁気力により吸引された磁性粒子が、裏側の基板のところから泳動して表側基板まで達し、分散流体と磁性粒子とのコントラストとの差で黒白表示が形成されるようにしたものである。磁性粒子に着色することにより、カラー表示することも可能である（特許文献１）。
【０００３】
さらに近年は、電子ペーパーが普及してきている。電子ペーパーは、紙の長所とされる視認性や携帯性を保った表示媒体のうち、表示内容を電気的に書き換えることができるものである。この電子ペーパーの上に透明ＥＬシートをセットし、ユーザがペンにより手書きで筆跡を入力すると、操作部に備えられた制御部が筆跡データに基づいて透明ＥＬシート上に筆跡を表示させる手書き入力装置が提案されている。この手書き入力装置では、筆跡に対応する透明ＥＬシートの位置の透明電極に交流パルス電圧を印加することにより筆跡を表示させる。セットされている電子ペーパー（原稿）が他の原稿に変更されたことを検知すると、交流パルス電圧の印加が停止し、表示された筆跡をすべて迅速かつ容易に消去することができる。また、筆跡データを操作部のメモリに記憶させることもできる（特許文献２）。
【０００４】
一方、PCと連動した液晶モニターなどのディスプレイにタッチパネルやタッチシートを設け、スタイラスペンなどのペンでなぞると、筆跡を表示して筆跡を記憶することができる高価な手書き入力システムが利用されている。
【０００５】
さらに、XY座標が定義されたドットパターンを印刷した専用の手書き入力用紙に、ボールペン等の筆記具が先端に設けられたスキャナーペンで書き込み、スキャナーペンでその軌跡情報を記憶・送信できる入力装置が利用されている（特許文献３，４）。
【先行技術文献】
【特許文献】
【０００６】
【特許文献１】実用新案登録第３０４７１７０号公報
【特許文献２】特開２００８−１１７２８３号公報
【特許文献３】特開２００７−２７９８２２号公報
【特許文献４】特許第４３８５１６９号公報
【発明の概要】
【発明が解決しようとする課題】
【０００７】
しかし、特許文献１の磁気ボード（カラーお絵描き玩具）では、磁気ペンで描いた絵や文字等を消去する際に、描いたものを一切残すことができない。そのため、描いたものを保存しておきたい場合であってもそれが不可能であり、柔軟性に欠けるという問題がある。
【０００８】
一方、特許文献２の手書き入力装置は、筆跡データを記憶させることが可能であるが、透明ＥＬシートは非常に高価であり、また、専用の操作部が必要であるため、手書き入力装置の作製に費用と時間を要するという問題がある。
【０００９】
また、PCと連動するタッチパネルでは、重く大きい欠点があり、コストも高い。最近では、アップル社のiパッドが登場し、手書き入力に適した面積を有し、薄くて軽いタッチパネル式コンピュータも登場したが、やはり高コストである。
【００１０】
さらに、特許文献３、４の手書き入力装置は、簡易で低コストであるが、専用の用紙に書き込まれた文字や図をすばやく消去することができず、仮に消去できたとしても跡が残り機密性の高い情報や個人情報などはシュレッダー等を用いて一々処分しなければならない問題がある。
【００１１】
本発明はこのような問題に鑑みてなされたものであり、手書きした文字等を消去可能であり、さらに、消去した文字等を保存可能である手書き入力ボードを、簡易かつ安価に提供することを技術的課題とする。
【課題を解決するための手段】
【００１２】
（１）上記課題を解決するために、本発明に係る手書き入力ボードを用いた手書き入力システムは、座標値および／またはコード値が繰り返し定義されたドットパターンが少なくとも一部領域に配置され、該一部領域の少なくとも一部に書き込み領域が設けられた表示パネルを備える手書き入力ボードと、該表示パネルをなぞるかまたはタッチして軌跡を描くスキャナーペンと、を備えた手書き入力ボードを用いた手書き入力システムであって、該スキャナーペンは、該表示パネルに設けられた該ドットパターンを光学的に読み取る光学読取手段と、ドットコード解析手段を備え、該表示パネルをなぞるかまたはタッチして該ドットパターンを連続して撮像し、該ドットコード解析手段により、該ドットパターンを解析して座標値および／またはコード値を出力し、該手書き入力ボードは、該スキャナーペンでなぞるかまたはタッチした軌跡が所定の表示方法により該表示パネルに可視的に表示され、表示された該軌跡を消去するための消去手段を備えた、ことを特徴とする。
【００１３】
これによれば、専用スキャナーペンでなぞって書き込みおよび消去が繰り返し可能で、書き込んだ軌跡を出力する手書き入力ボードを、簡易かつ安価に提供することが可能となる。さらに、機密性の高い情報や個人情報等でも書き込み後すぐ消去することにより機密性を確保できる。
【００１４】
（２）さらに、前記少なくとも一部領域に配置されたドットパターンには、所定の領域または全領域に前記表示パネルを特定するためコード値が定義されている、ことを特徴とする。
【００１５】
これによれば、手書き入力ボードを簡易に特定することが可能となる。この発明による手書きボードは、１つのスキャナーペンで複数の手書き入力ボードに描いた軌跡がどの手書き入力ボードに描かれたかを特定できる。
【００１６】
（３）さらに、前記少なくとも一部領域に配置されたドットパターンには、所定の領域に指示命令および／または情報が関連付けられたコード値が定義されている、ことを特徴とする。
【００１７】
これによれば、書き込み領域に文字や絵等の入力を行った後で後述する送信手段に送信したり、記憶手段に記憶させたり、手書き入力以外の種々の操作を簡易に行うことが可能となる。
【００１８】
（４）さらに、前記表示パネルは、少なくとも前記ドットパターンが配置された領域において、赤外線を吸収するインクで印刷された該ドットパターンを配置し、該ドットパターンを形成するドット部分を除く領域は赤外線を反射し、前記光学読取手段は、所定の波長の赤外線を照射する赤外線照射手段と、所定の波長領域の赤外線のみを透過する赤外線フィルターと、少なくとも透過した該赤外線を撮像できるセンサーを備え、該表示パネルに形成された該ドットパターンを撮像する、ことを特徴とする。
【００１９】
これによれば、表示パネルに赤外線を照射すると、ドットパターンが形成された部分は赤外線を吸収し、反射をしない。一方、ドットパターンが形成されていない部分は、赤外線を吸収せず、反射する。この反射した光は、レンズに入射され、反射光を発しないドットパターンだけが黒く写り、ドットパターンを読み取ることができる。
【００２０】
また、赤外線フィルターを備えることにより、ドットパターンが形成されていない部分から発せられる可視光線を遮断し、赤外線のみをレンズに入射させることができる。
【００２１】
（５）さらに、前記表示パネルには、該ドットパターンに赤外線を反射または透過するインクで画像を重畳印刷する、ことを特徴とする。
【００２２】
このように、ドットパターンは赤外線を吸収するインク、画像は赤外線を反射または透過するインクで印刷することにより、画像に影響されることなく、ドットパターンの読み取りが可能となる。
【００２３】
（６）さらに、前記表示パネルには、透過シートのいずれかの一面側に前記ドットパターンが配置されたドットパターン層が設けられ、該表示パネル側と反対側に該ドットパターン層が設けられた場合には、赤外線および可視光を透過する特性を有する保護層と、が該透過シートに積層されている情報入力補助シートが貼付されている、ことを特徴とする。
【００２４】
これによれば、表示パネルに直接ドットパターンを形成する必要がない。したがって、従来の表示パネルに情報入力補助シートを装着するだけで本発明の手書き入力ボードを製造できるため、非常に簡易かつ低コストで本発明を実現することが可能となる。
【００２５】
また、保護層を設けることにより、ドットの摩耗や汚れを防ぎ、シートを長期間使用することが可能となる。
【００２６】
（７）さらに、前記表示パネルには、透過シートのいずれかの一面側に前記ドットパターンが配置されたドットパターン層が設けられ、該表示パネル側に該ドットパターン層が設けられた場合には、該ドットパターン層の上部に該赤外線反射層を積層し、該表示パネル側と反対側に該ドットパターン層が設けられた場合には、該ドットパターン層の下部に該赤外線反射層を積層し、該ドットパターン層の上部に赤外線および可視光を透過する特性を有する保護層と、が該透過シートに積層されている情報入力補助シートが貼付されている、ことを特徴とする。
【００２７】
これによれば、情報入力補助シートを装着した表示パネル上での赤外線の吸収・透過等の特性が影響されることなく、赤外線照射手段から照射させる赤外線を反射させ、明るく鮮明なドットパターンのみを撮影でき、ドットコードを正確に解析できる。
【００２８】
（８）さらに、前記赤外線反射層は、赤外線拡散反射層である、ことを特徴とする。
【００２９】
通常の赤外線反射層では、赤外線反射層で照射した赤外線が鏡面反射して、赤外線がレンズに入射できない撮影領域が生じる場合（スキャナーペンを垂直に立てた場合、撮影領域の中央が真っ黒な状態で撮影されてしまい、ドットパターンをもれなく撮影することができなくなる現象）がある。赤外線拡散反射層を用いることにより、赤外線をレンズ内に均一に入射させることが可能となる。
【００３０】
（９）さらに、前記表示パネルは、磁性粒子と分散媒とからなる分散流体を封入した磁気泳動表示パネルを設け、該磁気泳動表示パネルの少なくとも一部が前記書き込み領域であり、先端部に磁石を設けた前記スキャナーペンでなぞった軌跡が該磁性粒子の泳動により表示され、前記消去手段は、該磁気泳動表示パネルの裏側から磁化されたイレーザーでなぞって該書き込み領域に描かれた該軌跡を該磁性粒子の泳動により消去する、ことを特徴とする。
【００３１】
（１０）さらに、前記磁気泳動表示パネルは、少なくとも１以上のマイクロカプセル磁気泳動表示シートで形成されている、ことを特徴とする。
【００３２】
これによれば、超薄型の書き込みと消去が繰り返し可能な手書き入力ボードを、簡易かつ安価に実現することが可能となる。また、消去手段が分離して備えられていてもよく、これによりマイクロカプセル磁気泳動表示シートを何枚も綴って持ち歩くことができ、分離された消去手段で消去可能である。
【００３３】
（１１）さらに、前記マイクロカプセル磁気泳動表示シートは、少なくとも２枚以上所定の方法で綴られている、ことを特徴とする。
【００３４】
（１２）さらに、前記磁性粒子は、発光材で着色されていることを特徴とする。
【００３５】
これによれば、懐中電灯等で少し光を当てると、書き込んだ文字が光る。したがって、暗いところであっても、書き込んだ文字等を読むことが可能となる。
【００３６】
発光材としては、シリケート系蛍光体、アルミン酸ケイ素系蛍光体等を用いることができる。
【００３７】
（１３）さらに、前記表示パネルは、顔料微粒子と分散媒とからなる分散流体を封入した電気泳動パネルを設け、該電気泳動表示パネルの少なくとも一部が前記書き込み領域であり、先端部に電極を設けた前記スキャナーペンでなぞるかまたはタッチした軌跡が該顔料微粒子の泳動により表示され、前記消去手段は、電圧印加により該書き込み領域に描かれた該軌跡を該顔料微粒子の泳動により消去する、ことを特徴とする。
【００３８】
（１４）さらに、前記電機泳動表示パネルは、少なくとも１以上のマイクロカプセル電機泳動表示シートで形成されている、ことを特徴とする。
【００３９】
これによれば、磁気泳動表示パネルよりも、より文字を細く鮮明に手書き入力を行うことが可能となる。
【００４０】
（１５）さらに、前記分散流体に赤外線反射粒子を混入し、赤外線を拡散反射させる、ことを特徴とする。
【００４１】
これによれば、表示パネルや情報入力補助シートに、別途赤外線拡散反射のための層を設けなくても、赤外線照射手段から照射した赤外線を拡散反射させ、光学読取手段のレンズ内に均一に入射させることが可能となる。
【００４２】
（１６）さらに、前記スキャナーペンには、さらに軌跡情報生成手段を備え、該スキャナーペンで前記表示パネルをなぞるかまたはタッチして軌跡を描いて読み取った座標値および／またはコード値を、前記ドットコード解析手段で前記書き込み領域かそれ以外の領域をなぞるかまたはタッチした軌跡かを区別して、該書き込み領域の場合は、該軌跡情報生成手段で軌跡情報を生成する、ことを特徴とする。
【００４３】
これによれば、表示パネルに設けられたドットパターンの座標値および／またコード値を解析することで、軌跡が描かれた領域が書き込み領域かそれ以外の領域であるかを認識することができる。そして、軌跡が描かれた領域が書き込み領域である場合のみ、軌跡情報を生成することができる。
【００４４】
（１７）さらに、前記スキャナーペンには、さらに記憶手段を備え、前記軌跡情報を該記憶手段で記憶媒体に記憶する、ことを特徴とする。
【００４５】
これによれば、軌跡を消去した後でも、軌跡情報を保存しておくことが可能となる。
【００４６】
（１８）さらに、前記スキャナーペンには、さらに送信手段を備え、前記軌跡情報を該送信手段で情報処理装置に対し送信する、ことを特徴とする。
【００４７】
これによれば、軌跡情報を情報処理装置に保存し、さらに情報処理装置（パーソナルコンピュータ等）に接続されたディスプレイに軌跡情報を表示させたり、軌跡情報を解析し文字や図形を認識することが可能となる。
【００４８】
（１９）さらに、前記スキャナーペンは、さらに所定の音声を認識すると前記軌跡情報を前記送信手段で前記情報処理装置に対し送信する、音声認識手段を備え、該軌跡情報に対応する前記軌跡を前記消去手段で消去する際に該所定の音声を発生する音声発生手段を備えている、ことを特徴とする。
【００４９】
これによれば、ユーザは、軌跡情報を消去するときに音声を発生させるのみで、軌跡情報を情報処理装置に送信することが可能となる。したがって、ユーザは、何度もボタンを押下する等、複雑な操作をすることなく、簡単に必要な軌跡情報を情報処理装置に送信し、保存することができる。
【００５０】
なお、音声の発生は、電子的な機構によるものであっても、物理的な機構によるものであってもよい。当然、電源を一切使用せずに音声を発生させて、スキャナーペンは、この音声を電子的に認識することができる。物理的な機構により音声を発生させれば、手書き入力ボード側には、電子的・電気的機構が全く不要であるため、簡易かつ低コストで手書き入力ボードを提供することができる。
【００５１】
（２０）さらに、前記手書き入力ボードは、摺動機構を備えており、当該摺動機構の作動により、前記スキャナーペンの軌跡を可視的に消去可能にするとともに、前記摺動機構の所定周波数の動作音を発生させる手段を備えており、前記スキャナーペンは、前記所定周波数の動作音を検出することによって、前記軌跡情報を前記送信手段を経由して前記情報処理装置に対して送信することにより、手書き入力ボード側に電子機構を備えることなく可視的な軌跡の消去と同時にスキャナーペンからの軌跡情報の送信を可能にしたことを特徴とする。
【００５２】
これによれば、スキャナーペンの軌跡を可視的に消去するとともに、摺動機構の作動による動作音が出てくる。この動作音の周波数によって、消去した領域を認識し当該領域の軌跡情報のみを送信することができる。
【００５３】
（２１）さらに、前記音声発生手段は、前記摺動機構の衝突音を発生させるか、またはさせないための物理的なボタンを備えている、ことを特徴とする。
【００５４】
これによれば、軌跡情報を情報処理装置に送信したい場合には衝突音を発生させ、軌跡情報を送信せずにそのまま消去したい場合には衝突音を発生させない、という選択的な処理を容易に行うことができる。
【００５５】
（２２）さらに、前記手書き入力ボードは、前記摺動機構に対する物理的な係合部を備え、前記音声発生手段は、前記消去手段で消去する前記軌跡が表示された領域に連動する所定の音声を発生させ、前記音声認識手段は、該所定の音声を認識し、該音声に連動した領域に表示されていた該軌跡に対応する前記軌跡情報を前記送信手段で前記情報処理装置に対し送信する、ことを特徴とする。
【００５６】
これによれば、所定の音声により、消去した領域を認識し当該領域の軌跡情報のみを送信することができる。
【００５７】
（２３）さらに、前記スキャナーペンには、さらに出力手段を備え、該スキャナーペンで前記表示パネルをなぞるかまたはタッチして軌跡を描いて読み取った座標値および／またはコード値を、前記ドットコード解析手段で前記書き込み領域かそれ以外の領域をなぞるかまたはタッチした軌跡かを区別して、該書き込み領域以外の場合は、該座標値および／またはコード値に対応する音声および／または画像を出力手段で出力・表示する、ことを特徴とする。
【００５８】
これによれば、スキャナーペンでなぞるかタッチして軌跡を読み取り解析することにより、書き込み領域以外の軌跡の場合、当該軌跡に対応する音声や画像の出力・表示が可能であるため、手書き入力だけではなく関連する情報の入出力装置として利用できる。
【００５９】
（２４）さらに、前記スキャナーペンには、さらに軌跡情報解析手段を備え、前記書き込み領域の場合は、前記軌跡情報生成手段で軌跡情報を生成し、該軌跡情報を該軌跡情報解析手段で解析し、対応する音声および／または画像を出力手段で出力・表示する、ことを特徴とする。
【００６０】
これによれば、軌跡情報を情報処理装置に送信することなく、スキャナーペンだけで軌跡情報を解析し対応する情報を出力でき利便性の高い手書き入力ボードを提供できる。
【００６１】
（２５）さらに、前記軌跡情報生成手段は、前記書き込み領域以外の所定の領域を前記スキャナーペンでタッチした後、前記書き込み領域に任意の数字および／または記号をなぞって描き、前記消去手段で消去し、続けて該書き込み領域になぞって描いた軌跡と該所定の数字および／または記号をインデックスとして前記軌跡情報を生成する、ことを特徴とする。
【００６２】
これによれば、軌跡情報を容易に検索して出力することができる。
【００６３】
（２６）さらに、前記スキャナーペンは、手書き入力ボードに備えられた前記消去手段に替えて、前記表示パネルに表示された軌跡を消去するための消去手段を設け、該軌跡の一部または全部を消去できる、ことを特徴とする。
【００６４】
（２７）さらに、前記スキャナーペンは、前記光学読取手段の反対側端部および／または腹部に、前記イレーザー（磁化されたイレーザー）を設け、前記軌跡の一部または全部を消去できる、ことを特徴とする。
【００６５】
（２８）さらに、前記スキャナーペンは、前記光学読取手段の反対側端部および／または腹部に、前記イレーザーを設け、前記軌跡の一部または全部を消去することが可能である、ことを特徴とする。
【００６６】
これによれば、スキャナーペンで描いた領域全体をスキャナーペンの腹部で消去し、一部だけをスキャナーペンの反対側端部で消去することができる。さらに、手書き入力ボードに消去手段を設ける必要がなくなり、薄いシート状の手書き入力ボードとして利用でき、複数の手書き入力シートを綴って持ち歩くことができ携帯性に優れ、より簡易かつ安価に手書き入力ボードを製造することができる。
（２９）さらに、前記スキャナーペンは、防水処理を施してある、ことを特徴とする。
【００６７】
これによれば、雨に濡れたり水気の多いところに置いたりしても壊れることのない、丈夫なスキャナーペンを提供することができる。また、スキューバーダイビングでよく利用される海中でのコミニュケーションボードとして描いた情報を記録し、後に陸上で当該情報を出力することができ、情報を正確に記録すると共に楽しみが倍増できる。
【００６８】
（３０）本発明に係る手書き入力ボードを用いた情報処理システムは、座標値および／またはコード値が繰り返し定義されたドットパターンが少なくとも一部領域に配置され、該一部領域の少なくとも一部に書き込み領域が設けられた表示パネルと、該表示パネルに表示された軌跡を消去するための消去手段を備えた手書き入力ボードと、該表示パネルに設けられた該ドットパターンを光学的に読み取る光学読取手段と、該ドットパターンを解析して座標値および／またはコード値を出力するドットコード解析手段と、該ドットコード解析手段により解析された座標値または、座標値およびコード値から軌跡情報を生成する軌跡情報生成手段と、該軌跡情報または、座標値および／またはコード値を送信する送信手段と、を備えたスキャナーペンと、該スキャナーペンと有線または無線で接続された、該軌跡情報を解析する軌跡情報解析手段を備えた情報処理装置と、を備えた手書き入力ボードを用いた情報処理システムであって、該光学読取手段は、該スキャナーペンで該表示パネルをなぞるかまたはタッチして軌跡を描いて該表示パネルに設けられたドットパターンを連続して撮像し、該ドットコード解析手段は、該ドットパターンを解析して、座標値および／またはコード値を出力し、該表示パネルは、該軌跡を表示し、該軌跡情報生成手段は、該書き込み領域に描かれた座標値および／またはコード値から該軌跡情報を生成し、該送信手段は、該軌跡情報または、座標値および／またはコード値を該情報処理装置に送信し、該情報処理装置は、該軌跡情報を該軌跡情報解析手段で認識し、該認識または、該座標値および／またはコード値に対応した指示命令の実行および／または関連付けられた情報の出力を行う、ことを特徴とする。
【００６９】
これによれば、ユーザが手書き入力ボードに、実行したい指示命令や入出力したい情報を手書きし、情報処理装置に送信するだけで、それに対応した指示命令の実行や、情報の入出力が行われる。したがって、キーボードへの入力等、煩雑な操作を行うことなく、ユーザが所望の処理を行うことが可能となる。
【００７０】
（３１）さらに、前記情報処理手段は、前記記憶装置が装着されると、前記座標値および／またはコード値に対応した指示命令の実行またはマルチメディア情報の出力を行う、ことを特徴とする。
【００７１】
これによれば、スキャナーペンから情報処理装置への無線または有線による送信処理ができない状況であっても、軌跡情報に対応する指示命令の実行や、情報の出力を情報処理装置から行うことが可能である。
【００７２】
（３２）本発明に係る手書き入力ボードを用いた情報処理システムは、座標値および／またはコード値が繰り返し定義されたドットパターンが少なくとも一部領域に配置され、該一部領域の少なくとも一部に書き込み領域が設けられた表示パネルと、該表示パネルに表示された軌跡を消去するための消去手段を備えた複数の手書き入力ボードと、該表示パネルに設けられた該ドットパターンを光学的に読み取る光学読取手段と、該ドットパターンを解析して座標値および／またはコード値を出力するドットコード解析手段と、該ドットコード解析手段により解析された座標値または、座標値およびコード値から軌跡情報を生成する軌跡情報生成手段と、該軌跡情報または、座標値および／またはコード値を送信する送信手段と、を備えた複数のスキャナーペンと、該スキャナーペンと有線または無線で接続された、該軌跡情報を解析する軌跡情報解析手段を備えた１または複数の情報処理装置と、を備えた手書き入力ボードを用いた情報処理システムであって、該情報処理装置は、いずれかのスキャナーペンの送信手段から送信された該軌跡情報およびスキャナーペンのＩＤを認識し、該軌跡情報の認識または、該座標値および／またはコード値に対応した指示命令の実行および／または関連付けられた情報の出力を行う、ことを特徴とする。
【００７３】
これによれば、複数のスキャナーペンが接続された情報処理装置に対して、スキャナーペンの使用者が様々な情報の入力や操作指示を行うことによって、当該スキャナーペンのＩＤに基づいた処理を情報処理装置が行うシンクライアントとしてシステムを構築できる。例えば、ブレーンストーミング等の会議において、出席者が各自スキャナーペンと手書き入力ボードを持参し、発言をしたいときにスキャナーペンで手書きすれば、それが誰の発言であるのかが認識される。したがって、各出席者は、コンピュータを持参する必要がないため、非常に簡易かつ便利である。
【００７４】
（３３）さらに、前記ドットパターンは、所定の規則にしたがって線状に連続して複数の基準ドットを配置する工程と、該複数の基準ドットを結ぶ、直線、折れ線および／または曲線からなる第一の仮想基準線を設ける工程と、該基準ドットおよび／または該第一の仮想基準線から所定の位置に定義される、直線および／または曲線からなる少なくとも１以上の第二の仮想基準線を設ける工程と、該第二の仮想基準線上の所定の位置に複数の仮想基準点を設ける工程と、該仮想基準点を始点としてベクトルにより表現した終点に、該仮想基準点からの距離と方向とでＸＹ座標値および／またはコード値が定義される情報ドットを配置する工程に従って配列した、ストリームドットパターンが複数並べて形成されていることを特徴とする。
【００７５】
これによれば、基準点の間隔が一定のストリームドットパターンが複数並べて形成されることにより、ＸＹ座標値が書き込み領域に隙間なく定義され軌跡情報を生成することができ手書き入力が可能となる。さらに、文字や五線譜、地図、図形などが手書き入力ボードに印刷され、その線分上をスキャナーペンでなぞるかまたはタッチして操作する場合、その線分に沿ってのみストリームドットパターンを形成することにより、合理的にドットパターンを配置できる。また、ＸＹ座標が定義されたドットパターンを２次元コードとして形成される際（インデックスとして使用）の矩形領域の形状に制約されることなく、媒体表面上に可視的に形成された情報領域に合わせた自由な形状での一定情報のまとまりの繰り返しによるドットパターンを形成することが可能となる。
【００７６】
（３４）さらに、前記ストリームドットは、第二の仮想基準線を定義するために、および/または前記ドットパターンの方向と１つのＸＹ座標値および／またはコード値を定義するために、さらに基準となる基準ドットを所定の位置に設けたことを特徴とする。
【００７７】
これによれば、新たな基準点を設けることにより、ストリームドットパターンの向きと一定情報のまとまりを、情報ドットを使用せず簡易に定義することができ、余計な情報の低減を押さえられる。さらに、新たな基準点の配置により情報ドットの始点となる仮想基準点の位置を正確に示すことができる。
【発明の効果】
【００７８】
本発明によれば、繰り返し書き込みおよび消去ができ、書き込みした文字等を保存・送信可能であるスキャナーペンを備えた手書き入力ボードを、簡易かつ安価に提供できる。
【図面の簡単な説明】
【００７９】
【図１】本発明に係る手書き入力ボードの使用状態について説明する図である。
【図２】手書き入力ボードの構造について示す正面図である。
【図３】本発明に用いるスキャナーペンのペン先の構造について示す拡大図である。
【図４】ＧＲＩＤ１のドットパターンの一例を示す説明図である。
【図５】ＧＲＩＤ１におけるドットパターンの情報ドットの一例を示す拡大図である。
【図６】ＧＲＩＤ１におけるドットパターンのフォーマットを示す説明図である。
【図７】ＧＲＩＤ１における情報ドットおよびそこに定義されたデータのビット表示の例であり、他の形態を示すものである。
【図８】ＧＲＩＤ１における情報ドットおよびそこに定義されたデータのビット表示の例であり、（ａ）はドットを２個、（ｂ）はドットを４個および（ｃ）はドットを５個配置したものである。
【図９】ＧＲＩＤ１におけるドットパターンの変形例を示すものであり、（ａ）は情報ドット６個配置型、（ｂ）は情報ドット９個配置型、（ｃ）は情報ドット１２個配置型、（ｄ）は情報ドット３６個配置型の概略図である。
【図１０】ディレクションドットのドットパターンを示す説明図である。
【図１１】ストリームドットパターンの形成方法を説明する図（１）である。
【図１２】ストリームドットパターンの形成方法を説明する図（２）である。
【図１３】ストリームドットパターンの形成方法を説明する図（３）である。
【図１４】第一の仮想基準線をベジェ曲線により設ける一例を示す図である。
【図１５】表示パネルに設けられたドットパターンのフォーマットについて説明する図である。
【図１６】本発明で用いる情報入力補助シートについて説明する図である。
【図１７】表示パネルの一実施例である磁気泳動表示パネルについて説明する図である。
【図１８】表示パネルの一実施例であるマイクロカプセル磁気泳動表示シートについて説明する図である。
【図１９】表示パネルの一実施例であるマイクロカプセル電気泳動表示シートについて説明する図である。
【図２０】軌跡情報生成手段を有するスキャナーペンについて説明するブロック図である。
【図２１】音声発生手段を有するスキャナーペンを用いた状態を示した説明図である。
【図２２】音声発生手段を有するスキャナーペンの構造について示す説明図およびブロック図である。
【図２３】軌跡情報解析手段を有するスキャナーペンについて説明するブロック図である。
【図２４】消去手段を有するスキャナーペンについて説明する斜視図である。
【図２５】消去手段が固定されている手書き入力ボードについて示す説明図である。
【図２６】音声を発生させることにより情報処理装置への送信を行う手書き入力ボードについて示す説明図（１）である。
【図２７】音声を発生させることにより情報処理装置への送信を行う手書き入力ボードについて示す説明図（２）である。
【図２８】音声を発生させることにより情報処理装置への送信を行う手書き入力ボードについて示す説明図（３）である。
【図２９】音声を発生させることにより情報処理装置への送信を行う手書き入力ボードについて示す説明図（４）である。
【図３０】手書き入力ボードを用いた情報処理システムについて示す説明図である。
【図３１】手書き入力ボードを用いたシンクライアントシステムについて示す説明図である。
【図３２】アイコン領域を設けた手書き入力ボードについて示す説明図である。
【図３３】試験用の手書き入力ボードについて示す説明図である。
【図３４】冊子状の手書き入力ボードについて示す説明図である。
【発明を実施するための形態】
【００８０】
以下、本発明の実施形態について、図面を参照しながら説明する。
【００８１】
図１は、本発明の手書き入力ボードの使用状態の一例を示す外観図である。同図によれば、手書き入力ボードにスキャナーペンでなぞって書き込みをすると、書き込んだ文書が手書き入力ボードの表示パネルに可視的に表示される。さらに、ユーザが所定の操作を行うと、書き込んだとおりの文書がディスプレイに表示される。これは、スキャナーペンが、書き込んだ軌跡上のドットパターンを撮像して解析し、解析した軌跡情報をコンピュータに送信することにより実現する。
【００８２】
図２は、手書き入力ボードの構造を示す図である。
【００８３】
この手書き入力ボードは、表示パネルとイレーザー（消去手段）から構成されている。表示パネルは、詳細は後述するが、磁気泳動表示パネルまたは電気泳動表示パネルを使用している。また表示パネルには、後述するドットパターンが設けられている。
【００８４】
イレーザーは、表示パネルに書き込まれた文書や絵柄を消去するためのものである。磁気泳動表示パネルを用いた場合には、イレーザーは永久磁石を用いる。イレーザーを表示パネルの裏面に沿ってスライドさせる。すると、表示パネルの表面に引きつけられていた磁性粒子は、今度はパネルの裏面に泳動していき、パネルの表面側から見ると、分散流体の色のみが見え、文書等の表示が消去されたことになる。
【００８５】
図３は、スキャナーペンの先端部を示す断面図である。かかるスキャナーペンは、内部に中空部が形成され、その先端に開口部を有するライトガイドと、このライドガイドの開口部を臨む位置に配置されたレンズと、このレンズと同一面上に配置され、ドットパターンが形成された媒体面に所定波長の光を照射する光源としてのＬＥＤと、レンズから後退した位置に配置されたＣ−ＭＯＳセンサ（光学読取手段）と、さらに後退した位置にＰＣＢとそれに設置される図示しないＣＰＵとを備えている。ライトガイドの中空部は、レンズから開口部に向かって次第に大径となるテーパ状に形成されている。ここで、ＣＰＵは後述のドットパターン解析部、軌跡認識部、処理命令部、情報処理装置、のいずれかまたはすべての役割を持つ。
【００８６】
ライトガイドは、透明または乳白色の樹脂製であり、その内部が導光路として機能する。ＬＥＤからの照射光は、ライトガイドの内部を進行し、前記開口部より媒体に対して照射される。ライトガイドが乳白色の樹脂製である場合は、ＬＥＤからの照射光は、ライトガイド内を進行する際、ディフューザーとして適度に拡散されるので、開口部から媒体を照射する光をより均一にすることができる。
【００８７】
なお、本スキャナーペンは、防水処理を施してもよい。防水処理の方法としては、先端部の開口部を透明板材（ガラス等）で塞ぎ、その他は防水性能を有する携帯電話や携帯音楽プレーヤー等に対して行われる防水処理と同様の方法でよい。
【００８８】
防水処理を施すことにより、雨に濡れたり水気の多いところに置いたりしても壊れることのない、丈夫なスキャナーペンを提供することができる。また、スキューバーダイビングでよく利用される、海中でのコミュニケーションボードに描いた情報を記録し、後に陸上で当該情報を出力することができ、情報を正確に記録すると共に楽しみが倍増できる。
【００８９】
図４から図１４は、ドットパターン１について説明したものである。
【００９０】
＜ドットパターンの説明  ＧＲＩＤ１＞
図４から図９に基づいて、本実施形態において用いるドットパターン１の一例としてＧＲＩＤ１と称するドットパターンを説明する。なお、これらの図において、縦横斜め方向の格子線は説明の便宜のために付したものであり実際の印刷面には存在していない。
【００９１】
図４において、ドットパターン１の構成要素とその位置関係を示す。ドットパターン１は、キードット２、情報ドット３、基準格子点ドット４、から構成される。
【００９２】
ドットパターン１は、ドットコード生成アルゴリズムにより、数値情報を認識させるために微細なドット、すなわち、キードット２、情報ドット３、基準格子点ドット４を所定の規則に則って配列することにより生成される。
【００９３】
図４に示すように、情報を表すドットパターン１のブロックは、キードット２を基準に５×５の基準格子点ドット４を配置し、４点の基準格子点ドット４に囲まれた中心の仮想格子点５の周囲に情報ドット３を配置して構成される。このブロックには任意の数値情報が定義される。なお、図４の例では、ドットパターン１のブロック（太線枠内）を４個並列させた状態を示している。ただし、ドットパターン１は４ブロックに限定されないことは勿論である。
【００９４】
キードット２は、図４に示すように、ブロックの四隅の角部にある４個の基準格子点ドット４を一定方向にずらして配置したドットである。このキードット２は、情報ドット３を含んだ１ブロック分のドットパターン１の代表点である。例えば、ドットパターン１のブロックの四隅の角部にある基準格子点ドット４を上方に０．１ｍｍずらしたものである。ただし、この数値はこれに限定されずに、ドットパターン１のブロックの大小に応じて可変し得るものである。
【００９５】
キードット２のずれは、基準格子点ドット４および情報ドット３との誤認を避けるために、格子間隔の２０％前後が望ましい。
【００９６】
情報ドット３は、種々の情報を認識させるドットである。情報ドット３は、キードット２を代表点にして、その周辺に配置されると共に、４点の基準格子点ドット４により囲まれた格子の中心を仮想格子点５として、この仮想格子点５を始点としたベクトルにより表現された終点に配置したものである。
【００９７】
情報ドット３と、４点の基準格子点ドット４で囲まれた仮想格子点５との間隔は、隣接する仮想格子点５との間の距離の１５〜３０％程度の間隔であることが望ましい。情報ドット３と仮想格子点５間の距離がこの間隔より近いと、ドット同士が大きな塊と視認されやすく、ドットパターン１として見苦しくなるからである。逆に、情報ドット３と仮想格子点５との間の距離がこの間隔より遠いと、隣接するいずれの仮想格子点５を始点としてベクトル方向性を持たせた情報ドット３であるかの認定が困難になるためである。
【００９８】
基準格子点ドット４は、センサユニットを用いてドットパターン１を画像データとして取り込む際に、センサユニットのレンズの歪みや斜めからの撮像、紙面の伸縮、媒体表面の湾曲、印刷時の歪みを矯正することが出来る。具体的には歪んだ４点の基準格子点ドット４を元の正方形に変換する補正用の関数（Ｘｎ，Ｙｎ）＝ｆ（Ｘｎ’，Ｙｎ’）を求め、その同一の関数を用いて情報ドット３を補正して、正しい情報ドット３のベクトルを求める。
【００９９】
ドットパターン１に基準格子点ドット４を配置してあると、このドットパターン１をセンサユニットにより取り込んだ画像データでは、センサユニットが原因となる歪みが補正されるので、歪み率の高いレンズを付けた普及型のセンサユニットによりドットパターン１の画像データを取り込む時にも、ドットの配置を正確に認識することが出来る。また、ドットパターン１の面に対してセンサユニットを傾けて読み取っても、そのドットパターン１を正確に認識することが出来る。
【０１００】
キードット２、情報ドット３、基準格子点ドット４は、センサユニットが赤外線の照射によるドット読み取りを行う場合、当該赤外光を吸収する不可視インクまたはカーボンインクを用いて印刷されていることが望ましい。
【０１０１】
通常のインクジェットプリンタ等により、比較的微細なドットパターン１を印刷する場合、基準格子点ドット４同士の間隔（すなわち格子のサイズ）は、最小限０．５ｍｍ程度でもよい。オフセット印刷の場合、最小限０．３ｍｍ程度でもよい。
【０１０２】
半導体製造工程における露光技術等を用いて超微細なドットパターン１を形成する場合、基準格子点ドット４同士の間隔は、数μｍ程度でもよいし、ｎｍ単位のデザインルールを用いれば、さらに微細なドット間隔を持つドットパターン１を形成することも出来る。
【０１０３】
もちろん、基準格子点ドット４同士の間隔は、上記最小値以上であれば、ドットパターン１の用途により、どのような値を用いてもよい。
【０１０４】
また、キードット２、情報ドット３、基準格子点ドット４の直径は、基準格子点ドット４同士の間隔の１０％程度が望ましい。
【０１０５】
図５において、情報ドット３の配置方法による情報定義方法の例を示す。これらの図は、情報ドット３の位置と、その位置により定義された情報のビット表示の一例とを示す拡大図である。
【０１０６】
図５（ａ）において、情報ドット３が、ベクトルで表現される方向と長さを有するように、仮想格子点５から距離をずらされ（例えば０．１ｍｍ）、時計方向に４５度ずつ回転させて８方向に配置され、３ビットの情報を表現する定義方法の例を示す。この例では、ドットパターン１は、１ブロックあたり１６個の情報ドット３を含むので、３ビット×１６個＝４８ビットの情報を表現することが出来る。
【０１０７】
図５（ｂ）において、ドットパターン１が格子毎に２ビットの情報を有する情報ドット３の定義方法の例を示す。この例では、プラス（＋）方向および斜め（×）方向に情報ドット３を仮想格子点５からずらして、情報ドット３あたり２ビットの情報を定義している。この定義方法では、図５（ａ）に示す定義方法（本来４８ビットの情報を定義できる）と異なり、用途によっては１個のブロック内を、プラス（＋）方向にずらす格子と、斜め（×）方向にずらす格子とに分割して、３２ビット（２ビットＸ１６格子）のデータを与えることが出来る。
【０１０８】
なお、１個のブロックに含まれる１６個の格子に配置する情報ドット３をずらす方向の組み合わせとして、格子毎にプラス（＋）方向および斜め（×）方向へのずらし方を組み合わせると、最大２１６（約６５０００）通りのドットパターンフォーマットが実現できる。
【０１０９】
なお、これに限定されずに、１６方向に配置して４ビットを表現することも可能であり、種々変更できることは勿論である。
【０１１０】
図４に示すように、１個のドットパターンは、４×４個のブロック領域で構成されたドットパターンであり、各ブロック内には２ビットの情報ドット３が配置されている。この情報ドット３のドットコードフォーマットを示したものが図６である。
【０１１１】
図６に示すように、１個のドットパターン中には、パリティチェック、コード値、Ｘ座標、Ｙ座標が記録されている。
【０１１２】
図７において、情報ドット３の他の配置方法による情報の定義方法の例を示す。この定義方法では、情報ドット３を配置する際、基準格子点ドット４により囲まれた仮想格子点５からのずらし量として、長・短の２種類を使用し、ベクトル方向を８方向とするので、１６通りの配置を定義でき、４ビットの情報を表現することが出来る。
【０１１３】
この定義方法を用いるとき、長い方のずらし量は、隣接する仮想格子点５間の距離の２５〜３０％程度とし、短い方のずらし量は、１５〜２０％程度とする事が望ましい。但し、長・短の情報ドット３をずらす方向が同一となる場合でも、それらの情報ドット３を区別して認識できるように、それらの情報ドット３の中心間隔は、情報ドット３の径より離れていることが望ましい。
【０１１４】
なお、４ビットの情報を定義する方法は、上記の定義方法に限定されず、情報ドット３を１６方向に配置して４ビットを表現することも可能であり、種々変更できることは勿論である。
【０１１５】
図８において、１個の格子あたり複数の情報ドット３を配置する方法による情報の定義方法の例を示す。図８（ａ）は、情報ドット３を２個配置する例であり、図８（ｂ）は、情報ドット３を４個配置する例であり、図８（ｃ）は、情報ドット３を５個配置する例を示す。
【０１１６】
４点の基準格子点ドット４により囲まれた１個の格子あたりの情報ドット３の個数は、見栄えを考慮し、１個が望ましい。しかし、見栄えを無視し、情報量を多くしたい場合は、１ベクトル毎に、１ビットを割り当て、情報ドット３として複数のドットを用いて表現することにより、多量の情報を定義することが出来る。例えば、同心円８方向のベクトルでは、１個の格子あたり２８の情報を表現でき、１６個の格子を含む１ブロックあたり２１２８の情報を表現できる。
【０１１７】
ドットパターン１の認識は、ドットパターン１をセンサユニットにより画像データとして取り込み、まず、基準格子点ドット４を抽出し、次に、本来ならば基準格子点ドット４があるべき位置にドットが打たれていないことによってキードット２を抽出し、次に、情報ドット３を抽出することにより行われる。
【０１１８】
図９において、情報ドット３を含んだ格子の他の配列例を示す。同図（ａ）は、１個のブロック内に格子を６個（２×３）配置した例であり、同図（ｂ）は、１個のブロック内に格子を９個（３×３）配置した例であり、同図（ｃ）は、１個のブロック内に格子を１２個（３×４）配置した例であり、同図（ｄ）は、１個のブロック内に格子を３６個配置した例である。このように、ドットパターン１において、１ブロックに含まれる格子の数は、１６個に限定されずに、種々変更することが出来る。
【０１１９】
すなわち、必要とする情報量の多少またはセンサユニットの解像度に応じて、１ブロックに含まれる格子の数と１つの格子に含まれる情報ドット３の数を調整することにより、ドットパターン１に記録できる情報の量を柔軟に調整することが出来る。
【０１２０】
＜ドットパターンの説明  ＧＲＩＤ５＞
図１０において、他のドットパターンの例（ＧＲＩＤ５）を示す。
【０１２１】
図１０（ａ）において、ドットパターンにおける、基準点ドット６ａ〜６ｅ、仮想基準点６ｆ〜６ｉ、および情報ドット３の位置関係を示す。
【０１２２】
ドットパターンは、ブロックの形状により、ドットパターンの方向を定義したものである。ＧＲＩＤ５では、まず基準点ドット６ａ〜６ｅが配置される。基準点ドット６ａ〜６ｅを順に結ぶ線により、ブロックの向きを示す形状（ここでは上方を向いた５角形）が定義される。次に、基準点ドット６ａ〜６ｅの配置に基づき、仮想基準点６ｆ〜６ｉが定義される。次に、仮想基準点６ｆ〜６ｉのそれぞれを始点として方向と長さを有するベクトルが定義される。最後に、ベクトルの終点に情報ドット３が配置される。
【０１２３】
このように、ＧＲＩＤ５では、ブロックの向きを基準点ドット６ａ〜６ｅの配置の仕方によって定義することが出来る。そしてブロックの向きが定義されることにより、ブロック全体の大きさも定義される。
【０１２４】
同図（ｂ）において、ブロックの仮想基準点６ｆ〜６ｉ上に情報ドット３があるか否かにより、情報を定義する例を示す。
【０１２５】
同図（ｃ）において、ＧＲＩＤ５のブロックを縦横方向に２個ずつ連結した例を示す。ただし、ブロックを連結して配置する方向は、縦横方向に限定されず、いかなる方向に配置して連結してもよい。
【０１２６】
なお、図１０においては、基準点ドット６ａ〜６ｅおよび情報ドット３は、全て同一形状として示しているが、基準点ドット６ａ〜６ｅと情報ドット３とは、異なる形状でもよく、例えば、基準点ドット６ａ〜６ｅが、情報ドット３よりも大きな形状としてもよい。また、基準点ドット６ａ〜６ｅと情報ドット３とは、識別可能であればいかなる形状としてもよく、円形、三角形、四角形、またはそれ以上の多角形であってもよい。
【０１２７】
＜ドットパターンの説明  ストリームドット＞
次に、図１１〜図１３を参照しながら本発明に用いられるドットパターンの形成方法の一例について説明する。
【０１２８】
図１１、図１２は、ストリームドットパターンを形成する工程の一例を順に示すものである。
【０１２９】
本発明に係るドットパターンは、従来のドットパターンとは異なり、まず工程１として媒体表面上の可視的な情報に対応して、情報を入出力させたい箇所に基準ドット７を線状に連続して複数個配置する。
【０１３０】
図１１（ａ）では基準ドット７を曲線状に配置しているが、基準ドット７の配置はこれに限定されるものではなく、直線と曲線を織り交ぜたり、複数の線分により構成される折れ線状にするなど、情報を入出力させる領域にあわせた形状にドットパターンを形成するための種々の変更が可能である。
【０１３１】
また、媒体表面上に可視的に形成された実在線上に基準ドット７を配置してもよいし、実在線に沿って所定の規則により基準ドット７を配置してもよい。ここでいう実在線とは仮想線に対する概念で、実際に存在している線の全てを含むものである。例えば、実線、破線、点線、直線や曲線などが挙げられ、本発明においては、線が形成される媒体（例えば映像表示装置のディスプレイ）や、線を構成する物質（例えばインク）の如何を問わない。なお、ドットパターンは、印刷やディスプレイ表示、さらに金属やプラスチック上での穴や溝等の凸凹であってもよい。
【０１３２】
なお、基準ドットは読取り精度向上の観点から、等間隔に配置することが望ましいが、これに限定されるものではなく、複数の間隔を混在させてドットパターンの一定情報のまとまりを定義したり、一定情報のまとまり内における３つの異なる基準ドットの配置間隔によりドットパターンの一定情報のまとまりとドットパターンの方向の両方を定義することも可能である。
【０１３３】
次に、工程２として、線状に配置された基準ドット７を結ぶ、第一の仮想基準線８を設ける。図１１（ｂ）では第一の仮想基準線８を曲線により設けているが、第一の仮想基準線８はこれに限定されるものではなく、曲線状に配置された基準ドット７に対して直線の第一の仮想基準線８を設けてもよいし、直線状に配置された基準ドット７に対して曲線の第一の仮想基準線８を設けてもよい。すなわち、後述する工程３〜工程５における第二の仮想基準線９、仮想基準点１０、情報ドット３をどの位置に配置するかによって、基準ドットを結ぶ、直線、折れ線および/または曲線からなる第一の仮想基準線８を自由に定義することが可能である。
【０１３４】
なお、図１３に例を示すように、曲線である場合の第一の仮想基準線８は、ベジェ曲線によることが望ましい。
【０１３５】
すなわち、まず、第一の仮想基準線８上にある基準ドット７をＰ０、Ｐ３とし、Ｐ１、Ｐ２を与えられた制御点とする。次に、制御点を順に結んで得られる３つの線分・Ｐ０―Ｐ１、Ｐ１―Ｐ２、Ｐ２―Ｐ３・をそれぞれ１対１の比率で分割する点Ｐ４、Ｐ５、Ｐ６を求める。そして、これらの点を順に結んで得られる２つの線分・Ｐ４―Ｐ５、Ｐ５―Ｐ６・を、それぞれ１対１の比率で分割する点Ｐ７、Ｐ８を求める。
【０１３６】
最後に、この２点を結ぶ線分・Ｐ７―Ｐ８・をさらに１対１の比率で分割する点Ｐ９を求め、この点がベジェ曲線上の点となる。
【０１３７】
この手順を繰り返し行うことで、Ｐ０、Ｐ１、Ｐ２、Ｐ３を制御点とするベジェ曲線が得られる。
【０１３８】
なお、ベジェ曲線に限らず、スプライン関数を利用して求められるスプライン曲線、n次多項式、楕円弧など、種々のアルゴリズムを用いて第一の仮想基準線８を設けてもよい。
【０１３９】
また、第二の仮想基準線９においても、第一の仮想基準線８と同様に当該方法を用いて曲線を定義することが可能である。
【０１４０】
次に、工程３として、線状に配置された基準ドット７および／または第一の仮想基準線８から所定の位置に定義される第二の仮想基準線９を設ける。図１１（ｃ）では第二の仮想基準線９を、隣り合う基準ドット７の中間点における第一の仮想基準線８の接線に対して垂直線上の所定位置に向かって、隣り合う基準ドット７から任意の角度をもって設けているが、第二の仮想基準線９はこれに限定されるものではなく、後に示すようにドットパターンにより情報を入出力させたい領域に合わせて仮想基準点を設けるために、種々の方法により定義することが可能である。
【０１４１】
また、第一の仮想基準線８に対して片側のみに第二の仮想基準線９を設けてドットパターンの方向を定義してもよいし、情報量を増やすために両側各々に設けてもよい。
【０１４２】
次に、工程４として、第二の仮想基準線９上の所定の位置に複数の仮想基準点１０を設ける。図１２（ａ）では仮想基準点１０を、第二の仮想基準線９の交点、すなわち隣り合う基準ドット７を結んだ直線を底辺とし、第二の仮想基準線９を対辺とする二等辺三角形の頂点に設けているが、仮想基準点１０の位置はこれに限定されるものではなく、第二の仮想基準線９の中点に設けたり、第二の仮想基準線９上に代えて基準ドット７上に設けるなど、種々の変更が可能である。
【０１４３】
そして、工程５として、仮想基準点１０を始点としてベクトルにより表現した終点に情報ドット３を配置する。図１２（ｂ）では情報ドット３を、仮想基準点１０からのベクトル方向を８方向、仮想基準点１０からの距離が等距離となるよう、一個の仮想基準点１０に対し１個配置しているが、情報ドット３の配置はこれに限定されるものではなく、仮想基準点１０上に配置したり、ベクトル方向を１６方向として配置したり、一個の仮想基準点１０に対し２個配置するなど、任意の方向に任意の長さに、複数配置することが可能である。
【０１４４】
図１４は、ストリームドットパターンを上下方向に並べた状態の一例について示す図である。
【０１４５】
同図では、基準ドット、情報ドットの他に、キードットおよびサイドドットを配置している。キードットは、一定情報のまとまりの両端に配置されたドットである。このキードットは、ひとまとまりの情報ドット群を表す１領域分のドットパターン１の代表点である。サイドドットは、キードット２のずれの正負の延長線上に配置されたドットである。
【０１４６】
同図（ｂ）は、基準ドットおよびストリームドットパターンを等間隔に並べている。このように、基準点の間隔が一定のストリームドットパターンが複数並べて形成されることにより、ＸＹ座標値が書き込み領域に隙間なく定義され軌跡情報を生成することができ手書き入力が可能となる。しかし、本発明に係るストリームドットパターンはこれに限らず、同図（ａ）に示すように、ドットパターン同士の間隔を任意に設定してよい。また、基準ドット同士の間隔も、任意に設定することができる。
【０１４７】
これにより、ＸＹ座標が定義されたドットパターンを２次元コードとして形成される際（インデックスとして使用）の矩形領域の形状に制約されることなく、媒体表面上に可視的に形成された情報領域に合わせた自由な形状での一定情報のまとまりの繰り返しによるドットパターンを形成することが可能となる。
【０１４８】
なお、本発明に係る仮想基準線及び仮想基準点は、実際に媒体表面上に印刷形成されるわけではなく、あくまでコンピュータの画像メモリ上に、ドットパターンの配置の際、またはドットパターンの読み取りの際に仮想的に設定されるものである。
【０１４９】
このストリームドットパターンを用いることで、地球儀を初めとする曲面体や、人体模型、立体地図などの三次元造形物にもドットパターンを形成することができ、平面地図や絵本等に限らず本発明に係る入出力装置を利用することが可能となる。
【０１５０】
図１５は、本発明にかかる手書き入力ボードにおいて表示パネルに形成されるドットパターンのフォーマットについて説明する図である。
【０１５１】
なお、同図では、上述したＧＲＩＤ１のドットパターンを用いた場合について説明しているが、本発明においては、上述したディレクションドット、ストリームドット、その他のドットパターンを用いてもよい。
【０１５２】
図１５（ｃ）に示すごとく、ドットパターンは、４×４個のブロック領域で構成されたドットパターンであり、このブロック内でＣ１−０〜Ｃ３１−３０に区画されている。各領域のドットコードフォーマットを示したものが図１５（ａ）および（ｂ）である。
【０１５３】
同図（ａ）は、表示パネルコードとＸ座標とＹ座標が登録されているフォーマットである。表示パネルコードとは、表示パネルに付与されたＩＤ等を意味するものであり、Ｘ座標およびＹ座標は、それぞれ、媒体上における位置（座標値）を意味するものである。これにより、ユーザがスキャナーペンで表示パネルをなぞるまたはタッチすると、使用された表示パネルおよび読み取った箇所の座標位置が一度の読み取り操作で同時に認識される。
【０１５４】
同図（ｂ）は、表示パネルコードとアクションコードとＸ座標とＹ座標が登録されているフォーマットである。アクションコードとは、操作指示を意味するものである。例えば、「拡大」「縮小」等の操作を意味するもので、主に書き込み領域以外の領域に用いられるドットパターンに含まれている。
【０１５５】
このように、本発明のドットパターンは、表示パネルコードやアクションコード等、種々のコード情報とＸＹ座標を一つのフォーマットに登録することができる。また、その他にも、ＸＹ座標のみ、あるいはコード情報のみを登録することもでき、柔軟性に富んだフォーマットが可能である。
【０１５６】
このようなドットパターンを表示パネルに設ける方法として、情報入力補助シートを用いる方法、表示パネルに直接印刷する方法、表示パネル内部に磁気的または電気的に埋め込む方法等がある。
【０１５７】
＜情報入力補助シート＞
図１６では、これらの方法の一つである、情報入力補助シートについて説明する。
【０１５８】
情報入力補助シートは、透明フィルムで形成されており、ドットパターンが印刷されている。
【０１５９】
同図（ａ）は、表示パネル側から、ドットパターン層と、透明シート兼保護層と、からなる情報入力補助シートである。
【０１６０】
ドットパターン層には、カーボンインク等の赤外線吸収特性材料からなるドットを、上述のような所定の規則に則って配列したドットパターンが印刷されている。
【０１６１】
透明シート兼保護層は、ビニール、エンビペット、ポリプロピレン等、可視光線および赤外線を透過する材料で生成されている。ドットパターンを繰り返しスキャナでタッチすると、ドットが摩耗し、正確にドットパターンを読み取れなくなるという問題が生じる。そこで、透明シート兼保護層を設けることにより、ドットの摩耗と汚れを防ぎ、シートを長期間使用することが可能となる。
【０１６２】
同図（ｂ）は、透明シートと、ドットパターン層と、保護層と、からなる情報入力補助シートである。
【０１６３】
透明シートは、保護層と同様に、ビニール、エンビペット、ポリプロピレン等、可視光線および赤外線を透過する材料で生成されている。通常、透明シートは印刷し易い材料を用い、保護層は耐熱性や耐傷性が強い材料を用いる。
【０１６４】
同図（ｃ）は、赤外線反射層と、ドットパターン層と、透明シート兼保護層と、からなる情報入力補助シートである。
【０１６５】
赤外線反射層は、ビニール、エンビペット、ポリプロピレン等、可視光線を透過する材料で生成された蒸着用透明シートに、赤外線反射材料が蒸着された構成となっている。赤外線反射層は、スキャナーペンの赤外線照射手段から照射し透明シート兼保護層を透過した赤外線を、スキャナーペンに対して反射させるとともに、可視光を透過させる。これにより、スキャナーペンの赤外線照射手段から照射された赤外線のみを照射光とすることができ、明るく鮮明なドットパターンのみを撮影でき、ドットコードを正確に解析できる。
【０１６６】
同図（ｄ）は、赤外線拡散反射層と、ドットパターン層と、透明シート兼保護層と、からなる情報入力補助シートである。
【０１６７】
赤外線反射層で鏡面反射された反射層は、レンズに反射光が入射されず、そのため、撮影領域の中央が真っ黒な状態で撮影されてしまい、ドットパターンをもれなく撮影することができない。したがって、同図（ｃ）の赤外線反射層に代えて、赤外線拡散反射層を設ける。これによって、赤外線照射手段から照射された赤外線は、赤外線拡散反射層で拡散反射し、幅広い撮影領域の反射光がレンズに入射する。
【０１６８】
同図（ｅ）は、赤外線反射層と、赤外線拡散層と、ドットパターン層と、透明シート兼保護層と、からなる情報入力補助シートである。
【０１６９】
赤外線拡散層は、透明または半透明の材質で形成されている。赤外線照射手段から照射された赤外線は、赤外線反射層で鏡面反射し、赤外線拡散層で拡散する。これにより、赤外線反射層のみを用いる場合、赤外線拡散反射層を用いる場合よりも、より確実にすべての撮影領域の反射光がレンズに入射する。
【０１７０】
なお、（ｂ）〜（ｅ）は、ドットパターン層のドットの周囲に空隙があるように図示されているが、実際には空隙はなく、ドットが配置されていない箇所は上下の各層が接着しており、ドットが配置されたドットパターン層は極薄である。
【０１７１】
＜磁気泳動表示パネル＞
図１７は、本発明に係る表示パネルに用いる磁気泳動表示パネルについて説明する図である。
【０１７２】
磁気泳動表示パネルは、対向する２つの非磁性のパネルを有しており、それぞれ目視側と非目視側に位置している。これらパネルの間には多数の隔壁が設けられており、これら隔壁とパネルとにより多数のハネカム型のセルが形成されている。
【０１７３】
このセルの内部には、磁性粒子と、分散媒と、背景部分を構成する着色剤と、所望により増調剤とからなる分散流体が封入されている。同図（ａ）のように、目視側のパネルの表面を磁気ペンでなぞると、磁性粒子が吸引されて泳動し目視側パネル裏面まで到達し、背景を構成する着色剤と磁性粒子との色の差でパネルの面に、磁気ペンでなぞった文字等が表示される。一般に、磁性粒子は地色が黒色または暗褐色なので、背景を構成する着色料を白色にして黒白表示を行うようにしている。
【０１７４】
同図（ｂ）は、一旦表示した文字等を消去する場合について説明する図である。一旦表示した文字等を消去するには、非目視側のパネルの背面に配置しているイレーザーを非目視側パネルの面に沿ってスライドさせる。すると、目視側パネルの裏面に引きつけられていた磁性粒子は、今度は非目視側パネルのところに泳動していき、目視側パネル側から見ると、分散流体の色のみが見え、文字等の表示が消去されたことになる。なお、目視側パネルは、表示のないときに、目視側から磁性粒子の色が透けて見えないように不透明な、例えば白色等の光核酸板が使用されている。
【０１７５】
図１８は、マイクロカプセル磁気泳動表示シートを用いた場合について説明する図である。
【０１７６】
同図（ａ）に示すように、本実施例では、目視側パネルと非目視側パネルの間に、球状のマイクロカプセルが多数収納されており、このマイクロカプセルによって多数のセルが形成されている。
【０１７７】
このマイクロカプセルは、磁性粒子と、分散媒と、背景部分を構成する着色剤と、所望により増調剤とからなる分散流体と、この分散流体を覆うポリマー等の殻物質で構成されている。
【０１７８】
目視側パネルの表面にスキャナーペンで文字等の書き込みを行うと、その軌跡に沿って磁性粒子が引き寄せられて、文字等の表示が行われる。
【０１７９】
一旦表示した文字等を消去するには、非目視側のパネルの背面に配置しているイレーザーを非目視側パネルの面に沿ってスライドさせる。すると、目視側パネル側のマイクロカプセルの裏面に引きつけられていた磁性粒子は、今度は非目視側パネルの方向にマイクロカプセル内を泳動し、非目視側パネル側のマイクロカプセル裏面に到達し、目視側パネル側から見ると、分散流体の色のみが見え、文字等の表示が消去されたことになる。
【０１８０】
なお、図１７および図１８のように磁性粒子を用いる場合、発光材で着色された磁性粒子を用いてもよい。発光材としては、シリケート系蛍光体、アルミン酸ケイ素系蛍光体等を用いることができる。
【０１８１】
発光材を用いれば、懐中電灯等で少し光を当てると、書き込んだ文字が光る。したがって、暗いところであっても、書き込んだ文字等を読むことが可能となる。
【０１８２】
＜電気泳動ディスプレイパネル＞
図１９は、本発明に係る表示パネルに用いる電気泳動ディスプレイパネルについて説明する図である。
【０１８３】
電気泳動ディスプレイパネルでは、主にマイクロカプセル電気泳動シートを用いる。これは、白色と黒色の粒子を、流体を収めたマイクロカプセル中で電界によって移動させることで白と黒の表示を行なうものであり、粒子移動型などとも呼ばれる。
【０１８４】
同図（ａ）は、書き込みが行われていない、通常の状態を示したものである。直径40μm程度の透明なマイクロカプセル中に正と負に帯電した白色と黒色の顔料粒子がオイルと共に収められ、カプセルは1層のみ薄く2枚の狭い電極板の間に隙間なく並べられる。表示面となる電極の片側はＩＴＯ（酸化インジウムスズ：Ｉｎｄｉｕｍ  Ｔｉｎ  Ｏｘｉｄｅ）のような透明電極で作られ、反対側の電極（下部電極）は必要な表示解像度の大きさの微小な矩形電極で構成される。
【０１８５】
同図（ｂ）は、スキャナーペンで書き込みが行われた状態を示したものである。ユーザがスキャナーペンで書き込みを行うと、外部の制御回路から電圧が印加される。すると、２枚の電極間に電界が生じ、正と負に帯電した白色と黒色の顔料粒子がオイル中を泳動する。そして、いずれか電圧によって選ばれた色の顔料粒子（同図では黒色）がカプセルの表示面側に集まることで、白黒の表示を行い、微小な電極によって作られる画素ごとに白黒の表示が選ばれる。これにより、ユーザにより書き込まれた領域のみが黒く表示される。
【０１８６】
同図（ｃ）は、一旦表示した書き込みを消去する場合について説明する図である。一旦表示した書き込みを消去するためには、ユーザは、目視側のパネルに配置しているイレーザーを目視側パネルの面に沿ってスライドさせる。イレーザーをスライドさせることにより、スキャナーペンで書き込みを行ったときとは逆の電圧が印加され、表面に白色の顔料が泳動する。これにより、書き込みが消去される。
【０１８７】
なお、同図では、マイクロカプセル電気泳動表示シートを用いた場合について説明したが、本発明はこれに限らず、マイクロカプセルを用いずに正と負に帯電した顔料粒子を泳動させる、電気泳動表示シートを使用してもよい。
【０１８８】
＜軌跡情報を生成するスキャナーペン＞
図２０は、本発明の手書き入力ボードを用いた軌跡情報の生成について説明するブロック図である。
【０１８９】
スキャナーペンは、光学読取手段、ドットパターン解析手段、軌跡情報生成手段、記憶手段および送信手段を有している。
【０１９０】
手書き入力ボードに、スキャナーペンで文字等を書くと、スキャナーペンの光学読取手段は、書き込んだ軌跡上のXY座標または、XY座標とコード値が定義されたドットパターンを撮像する。ドットパターン解析手段は、撮像されたドットパターンを解析し、XY座標または、XY座標とコード値を出力する。そして軌跡情報生成手段は、解析されたドットパターンをもとに、XY座標または、XY座標とコード値が連続して記録された軌跡情報を生成していく。生成した軌跡情報は、記憶手段に記憶され、および／または送信手段に送信される。送信手段は、該軌跡情報を、情報処理装置に送信する。記憶手段および送信手段は対応するボタンを設け、ボタンにより操作指示してもよい。
【０１９１】
また、手書き入力ボードは、消去手段を有しており、ユーザは、書き込みを完了したら、その一部または全部をイレーザーにより消去することができる。
【０１９２】
＜スピーキングペン＞
図２１は、音声出力手段を備えるスキャナーペン（スピーキングペン）を用いた場合について説明する図である。
【０１９３】
本発明のスキャナーペン（スピーキングペン）は、光学読取手段等上述した構成の他に、音声出力手段を有していることを特徴とする。図のように、ユーザが「東京都練馬区」と表示パネルに書き込むと、ドットパターンを光学読取手段で撮像し、ドットパターン解析手段により出力されたXY座標または、XY座標を基に、軌跡情報生成手段により軌跡情報が生成され、軌跡情報解析手段で文字を認識し、スピーキングペンから、「トウキョウトネリマク」と、書き込んだ内容に対応した音声が出力される。
【０１９４】
図２２は、スピーキングペンについて説明した図であり、（ａ）はスピーキングペンの概要を示し、（ｂ）は当該スピーキングペンの構成をブロック図により表す。
【０１９５】
当該スピーキングペンは本図示例に示すように、音量調整ボタン（−）、音量調整ボタン（＋）、シーソーボタン（上側）、シーソーボタン（下側）、プッシュボタン、ペン先スイッチ、マイク、スピーカー、ＬＥＤ、ＣＭＯＳセンサ、ＦｌａｓｈＲＯＭ、Ｆｉｒｍｗａｒｅ、ＭＰＵにより構成されている。
【０１９６】
スピーキングペンは、音声の再生、録音、等が可能であり、主な機能は音声の再生と録音、およびリンク付けである。再生機能では、スピーキングペンがドットパターンを読み取ると、音声を内蔵スピーカーで再生する。録音機能では、内蔵マイクで録音した音声を保存し、ドットパターンに定義されたコード値とリンクする。ユーザは、リンクしたドットパターンを読み取ると、再生機能によって録音した音声を再生することができる。
【０１９７】
また、ペン先にはペン先スイッチを付けることにより、印刷物等を読み取った時のみドットパターンの解析を行うため、省電力を実現する。
【０１９８】
図２３は、スピーキングペンにおける軌跡情報の解析について説明する図である。
【０１９９】
手書き入力ボードに、スキャナーペンで文字等を書くと、スキャナーペンの光学読取手段は、書き込んだ軌跡上のドットパターンを撮像する。ドットパターン解析手段は、撮像されたドットパターンを解析する。そして軌跡情報生成手段は、解析されたドットパターンをもとに、軌跡情報を生成していく。軌跡情報解析手段は、生成した軌跡情報を解析する。出力手段は、解析結果に対応した音声を出力する。
【０２００】
また、手書き入力ボードは、消去手段を有しており、ユーザは、書き込みを完了したら、その一部または全部を消去することができる。
【０２０１】
なお、本実施例のスキャナーペンはスピーキングペンであり、音声のみを出力しているが、本発明はこれに限らず、スキャナーペンに液晶画面等を設け、画像を表示するようにしてもよい。また、音声と画像の両方を出力できるようにしてもよい。
【０２０２】
＜スキャナーペンに消去手段＞
図２４は、スキャナーペンに消去手段を設けた場合について説明する図である。
【０２０３】
上述の実施例では、手書き入力ボードに消去手段（イレーザー）を設けていた。しかし、本発明は同図のように、スキャナーペン側にイレーザーを設けてもよい。
【０２０４】
同図（ａ）は、光学読取手段の反対側にイレーザーを設けた図である。この場合は、手書き入力ボードの裏側の、消去したい書き込みに対応する位置でイレーザーを上に向け、書き込み内容を消去する。書き込み内容の一部を消去するのに特に適している。同図（ｂ）は、スキャナーペンの腹部にイレーザーを設けた図である。この場合は、スキャナーペンを横にして把持し、表示パネル裏側でスライドさせて書き込み内容を消去する。書き込み内容の全部を一気に消去するのに適している。同図（ｃ）は、光学読取手段の反対側とスキャナーペンの腹部の両方にイレーザーを設けた図である。両方のイレーザーを設けることにより、書き込み内容を部分的に消去したい場合と全部消去したい場合とで、イレーザーを使い分けることが可能となり、ユーザの利便性が高まる。
【０２０５】
図２５は、手書き入力ボードの他の実施例について説明した図である。
【０２０６】
同図は、イレーザーを手書き入力ボード本体枠体の裏側に備えた手書き入力ボードについて説明する図であり、（ａ）は書き込みが完了した状態、（ｂ）は消去している状態について説明したものである。
【０２０７】
本実施例の手書き入力ボードには、表示パネルがスライド可能に設けられている。表示パネルは左右に枠体を有しており、左側の枠体には取っ手が設けられている。ユーザは、表示パネルに書き込んだ内容を消去するときには、取っ手を把持して表示パネルを左側にスライドさせる。すると、手書き入力ボード本体の裏側に固定されて備えられたイレーザーが、書き込まれた内容を消去していく。
【０２０８】
＜音声を発する手書き入力ボード＞
図２６〜図２９は、音声を発生させて、軌跡情報を情報処理装置に送信する手書き入力ボードについて説明する図である。
【０２０９】
図２６は、ボタンにより音声を発生させる場合について説明する図である。
【０２１０】
本実施例の手書き入力ボードは、図２５に示した、イレーザーが固定されて備えられたものである。同図（ａ）に示すように、本体左側枠体に、音声を発生させるためのボタンが設けられている。ユーザがボタンを押下すると、本体左側枠体の右端中央から突起が出てくる。一方、表示パネルの右側枠体には、突起の係合部が設けられている。ユーザが表示パネルをスライドし、スライドが完了すると、突起が係合部にはまる。この時に衝突音が発生する。
【０２１１】
衝突音が発生すると、図示しないスキャナーペンに内蔵された音声認識手段は、衝突音を認識する。すると送信手段は、軌跡情報を情報処理装置に送信する。
【０２１２】
突起が出ている状態でユーザがボタンを押下すると、突起は左側枠体内部に納まる。
【０２１３】
同図（ｂ）は、記憶ボタンおよび送信ボタンを有している場合について説明する図である。本実施例では、「記憶」と記載されたボタン１と「送信」と記載されたボタン２とを有している。左枠体内部には、それぞれのボタンに対応する突起が備えられており、各ボタンを押すと、それぞれの突起が出てくる。ユーザが表示パネルをスライドし、スライドが完了すると、突起が係合部と衝突し、衝突音が発生する。ボタン１の突起とボタン２の突起が衝突したときでは、それぞれ異なる周波数の衝突音が生じる。図示しないスキャナーペンに内蔵された音声認識手段は、それぞれの音声を認識し、ボタン１に対応する衝突音を認識した場合には、軌跡情報をスキャナーペンの記憶手段に記憶し、ボタン２に対応する衝突音を認識した場合には、軌跡情報を送信手段から情報処理装置に送信する。
【０２１４】
同図（ｃ）は、同図（ａ）において、ボタンを押さない場合と押した場合の突起と係合部との関係を示した拡大図である。ボタンを押さない場合は、突起は、手書き入力ボード本体の左側枠体内に納まっている。この状態でユーザが表示パネルをスライドしていくと、スライドが完了したときに、本体の左側枠体と表示パネルの右側枠体とが衝突する。このときに、枠体に納められた突起と、係合部とが衝突して衝突音が発生することがない位置に、突起が設けられている。これにより、ユーザがボタンを押さない場合には、衝突音を発生させないことが可能となる。
【０２１５】
なお、本実施例においては、（ｄ）、（ｅ）、（ｆ）のように、いずれの構造においても、ユーザがボタンを押さない場合には、スライドが完了しても、突起と係合部とが衝突音を発生しない構造を実現することができる。
【０２１６】
このように、ボタンを設けることにより、軌跡情報をスキャナーペンに記憶したり情報処理装置に送信したりしたい場合には衝突音を発生させ、軌跡情報を送信等せずにそのまま消去したい場合には衝突音を発生させない、という選択的な処理を容易に行うことができる。上記突起は、図２９のようにフックのように噛み合う形状になっていてもよい。（a）のボタンが押されていない場合では、フックは噛み合わないが、（b）では、ボタンを押すと互いのフック状突起が噛み合う位置となり、ボタンが押された場合は、接触してスライドして反り上がって噛み合ったときにその反動でカチッと音がし、その音を認識する。さらに、ボタンから指を離す（または再度ボタンを押す）とフック状突起が外れ、スライドできるようになる。この発生する音声は、区別し易い特長的な音声を発生させるため、図の斜線部分に金属等の部材を設けてもよい。もちろん、フックそのものが区別し易い特長的な音声を発生させる金属等の部材であってもよい。
【０２１７】
図２７は、本体の右枠体にボタンを有している場合について説明する図である。
【０２１８】
同図（ａ）は、本体の右枠体にボタンを１個有している。本実施例では、ボタンが押下されている間、突起が出ている。ユーザがボタンから手を離すと、突起は戻る。
【０２１９】
ユーザはまず表示パネルを左側にスライドさせて軌跡を消去する。消去が完了したら、表示パネルを右側にスライドさせて元の位置に戻す。このときに、ユーザがボタンを押下していれば、突起と係合部が衝突して、所定の周波数の衝突音が発生する。これにより、軌跡を記憶したり、または送信したりすることができる。
【０２２０】
同図（ｂ）は、記憶ボタンおよび送信ボタンを有している場合について説明する図である。本実施例では、「記憶」と記載されたボタン１と「送信」と記載されたボタン２とを有している。右枠体内部には、それぞれのボタンに対応する突起が備えられており、各ボタンを押すと、押している間、それぞれの突起が出てくる。
【０２２１】
同図（ａ）と同様に、ユーザが軌跡の消去後、表示パネルを右側にスライドさせて元の位置に戻す。このときに、突起が係合部と衝突し、衝突音が発生する。ボタン１の突起とボタン２の突起が衝突したときでは、それぞれ異なる周波数の衝突音が生じる。図示しないスキャナーペンに内蔵された音声認識手段は、それぞれの音声を認識し、ボタン１に対応する衝突音を認識した場合には、軌跡情報をスキャナーペンの記憶手段に記憶し、ボタン２に対応する衝突音を認識した場合には、軌跡情報を送信手段から情報処理装置に送信する。また、両方のボタンが押下されていた場合には、軌跡情報の記憶と、情報処理装置への送信の両方が行われる。
【０２２２】
図２８は、手書き入力ボード本体に溝を有している場合について説明する図である。
【０２２３】
本実施例では、同図（ａ）に示すように、表示パネルの右枠体にボタンが設けられている。同図（ｂ）に示すように、ボタンの裏側には突起が設けられている。また、本体の、表示パネル上辺と接する部分には、溝が設けられている。突起に溝が設けられていてもよい。
【０２２４】
ユーザが軌跡を消去するときに、本体の溝と突起が衝突する。すると、所定の周波数の衝突音が生じる。本体に設けられた溝は、溝の幅や深さを徐々に変化させれば、ユーザが表示パネルをスライドしている間、発生する音声（音色）も徐々に変化する。これにより、音声認識手段は、どの領域が消去されているのかを認識することができ、どの領域を記憶および／または送信すればよいかを、記憶手段および／または送信手段に指示する。
【０２２５】
表示パネルが閉じている状態で、本体に設けられた溝が溝の幅や深さが一定であっても、最初にボタンが押下されれば、音声認識手段は、ボタンが解除されるまで何個の音を聞いたかで、対象となる領域を判断できる。
【０２２６】
ユーザが表示パネルをスライドしている途中でボタンを押下した場合、同図（ｃ）のような突起も出せば、表示パネルを開いた時を認識でき、どこからが対象領域なのか判断できる。
【０２２７】
なお、図示は省略するが、本体の表示パネル下辺と接する部分にも、上側とは異なる材質の突起を設けてもよい。これにより、音声の周波数を判断して、上側のボタンは記憶用、下側のボタンは送信用にすることにより、記憶および／または送信の指示を与えることができる。
【０２２８】
図２６〜図２９の実施例によれば、ユーザは、軌跡情報を消去するときに音声を発生させるのみで、軌跡情報をスキャナーペンに記憶させたり、情報処理装置に送信したりすることが可能となる。したがって、ユーザは、何度もボタンを押下する等、複雑な操作をすることなく、簡単に必要な軌跡情報を情報処理装置に送信し、保存することができる。
【０２２９】
また、スキャナーペンの軌跡を可視的に消去するとともに、摺動機構の作動による動作音が出てくる。したがって、電池を一切使用せずに音声を発生させて、スキャナーペンは、この音声を電子的に認識する。手書き入力ボード側には、電子的・電気的機構が全く不要であるため、簡易かつ低コストで薄型・軽量の手書き入力ボードを提供することができる。
【０２３０】
なお、本発明はこれに限らず、電子的な方法等、音声を発生する機構であれば、どのような方法で音声を発生させても構わない。さらには、無線送信で操作指示を行ってもよい。
【０２３１】
＜手書き入力ボードを用いた情報処理システム＞
図３０は、本発明の手書き入力ボードを用いた情報処理システムについて説明する図である。
【０２３２】
本情報処理システムは、手書き入力ボードと、スキャナーペンと、情報処理装置、とから構成されている。
【０２３３】
ユーザは、スキャナーペンを用いて、手書き入力ボードに、所望の処理に対応する内容を書き込む。本実施例では、「楽々ネットショッピング」と書き込む。次にユーザは、スキャナーペンの送信ボタンを押す、軌跡を消去するときに音声を発生させる等の操作を行う。これにより、スキャナーペンの送信手段は、軌跡情報を情報処理装置（コンピュータ）に送信する。コンピュータは、受信した軌跡情報を解析し、解析結果に対応した処理を行う。本実施例では、「楽々ネットショッピング」のウェブサイトにアクセスし、ウェブサイトをディスプレイに表示させる。これによりユーザは、楽々ネットショッピングのサイトを閲覧し、ネットショッピングを行うことができる。
【０２３４】
なお、本発明はこれに限らず、種々のウェブサイトへのアクセス、音声や動画の配信等、あらゆる指示命令の実行やあらゆる情報の入出力に用いることができる。
【０２３５】
これによれば、ユーザが手書き入力ボードに、実行したい指示命令や入出力したい情報を手書きし、情報処理装置に送信するだけで、それに対応した指示命令の実行や、情報の入出力が行われる。したがって、キーボードへの入力等、煩雑な操作を行うことなく、ユーザが、薄くて軽い入力ボードとスキャナーペンだけで所望の処理を行うことが可能となる。
【０２３６】
＜手書き入力ボードを用いたシンクライアントシステム＞
図３１は、本発明の手書き入力ボードを用いたシンクライアントシステムについて説明する図である。
【０２３７】
シンクライアントとは、ユーザが使用するクライアント端末に最小限の機能のみを持たせ、サーバ側でアプリケーションソフトやファイルなどの資源を管理するシステムの総称である。
【０２３８】
本実施形態では、図示しない一つのサーバ（情報処理装置）に、複数のスキャナーペンがネットワークを介して接続している。また、複数の手書き入力ボードが用意されている。サーバと各スキャナーペンとは、ブルートゥース（登録商標）、赤外線等の無線方式またはＵＳＢ等の有線方式で接続されている。
【０２３９】
ユーザが、スキャナーペンで手書き入力ボードに書き込みを行うと、表示パネルのドットパターンがスキャナーペンに読み込まれて、スキャナーペン内でＸＹ座標値および／またはコード値に変換される。サーバのハードディスク装置内で、ＸＹ座標値および／またはコード値を解析し、それをもとに軌跡を認識する。そして、サーバと接続されたプロジェクタやディスプレイに、軌跡に対応した情報を表示する。
【０２４０】
また、各スキャナーペンには、ＩＤが付与されている。スキャナーペンで読み取られたドットパターンのＸＹ座標値および／またはコード値をサーバに送信するときに、同時にスキャナーペンのＩＤデータも送信する。するとサーバは、どのスキャナーペンから送信されたかを認識することができる。たとえば、ＩＤ＝１のスキャナーペンのユーザが手書き入力ボードＡに「東京都練馬区」と手書きしたとする。するとＩＤ＝１のスキャナーペンは、ドットパターンのＸＹ座標値および／またはコード値と、ＩＤデータとを同時に送信する。するとサーバは、ＩＤ＝１のスキャナーペンから送信されたことを認識し、さらに、ＸＹ座標値および／またはコード値を解析し、手書き入力ボードＡに「東京都練馬区」と入力されたことを認識する。そしてプロジェクタに、「東京都練馬区」と表示させる。このときに、ＩＤ＝１のスキャナーペンによって手書きされた旨も同時にプロジェクタに表示してもよい。
【０２４１】
このように本発明の手書き入力ボードは、シンクライアントシステムに用いることもできる。これによれば、ブレーンストーミング等の会議において、出席者が各自スキャナーペンと手書き入力ボードを持参し、発言をしたいときにスキャナーペンで手書きすれば、それが誰の発言であるのかが認識される。したがって、各出席者は、コンピュータを持参する必要がないため、非常に簡易かつ便利である。その他、本システムは、学校の授業での先生や生徒の入力やネット上での発言、受付処理、オーダーエントリー、備品管理等、利用できる用途は無限である。
【０２４２】
＜アイコン領域のある手書き入力ボード＞
図３２〜図３４は、表示パネルの他の実施例について説明する図である。
【０２４３】
本発明の手書き入力ボードの表示パネルには、書き込み領域以外の領域も設けることができる。その一例として、図３２および図３３のようなものがある。
【０２４４】
図３２は、書き込み領域およびグラフィック＋ドットコード印刷領域を設けていることを特徴とする。
【０２４５】
書き込み領域には、ｘ、ｙ座標値およびコード値を含むドットパターンが印刷されている。この領域に、文字や絵等を手書き入力することができる。
【０２４６】
グラフィック＋ドットコード印刷領域には、数字や指示命令がアイコンとして印刷されている。各アイコンの意味は以下の通りである。
【０２４７】
（１）ＩＤ入力：書き込み領域に今描いた、または、これから描くインデックス番号入力モードにする。なお、ＩＤ入力を行われなければ、時間情報が軌跡情報に付加される。
【０２４８】
（２）１〜９，０：インデックス番号を入力する。
【０２４９】
（３）中止：インデックス番号の入力をやめ、インデックス番号入力モードを解除する。
【０２５０】
（４）決定：入力されたインデックス番号を記憶する。
【０２５１】
（５）確認：入力したインデックス番号を音声等で確認できる。このアイコンは無くてもよい。
【０２５２】
（６）記憶：インデックス番号が付加された軌跡情報をスキャナーペンの記憶媒体に記憶する。スキャナーペン側に記憶ボタンが設けられていれば、このアイコンは無くてもよい。
【０２５３】
（７）送信：インデックス番号が付加された軌跡情報をスキャナーペンから情報処理装置に送信する。スキャナーペン側に送信ボタンが設けられていれば、このアイコンは無くてもよい。
【０２５４】
（８）記憶＋送信：インデックス番号が付加された軌跡情報をスキャナーペンの記憶媒体に記憶し、さらにスキャナーペンから情報処理装置に送信する。スキャナーペン側に記憶・送信ボタンが設けられていれば、このアイコンは無くてもよい。
【０２５５】
ユーザは、書き込み領域に手書き入力を行う他に、これらのアイコンをタッチすることにより、軌跡をスキャナーペンに記憶させたり情報処理装置に送信したり、種々の操作を簡単に行うことが可能となる。これにより、より一層手書き入力ボードの利便性を高めることができる。
【０２５６】
同図（ｂ）は、ドットパターンについて説明する図であり、同図（ｃ）は書き込み領域におけるドットコードのフォーマット、同図（ｄ）はグラフィック＋ドットコード印刷領域におけるドットコードのフォーマットについて説明する図である。
【０２５７】
同図（ｃ）に示すように、書き込み領域には、Ｘ座標とＹ座標を意味するドットコードが登録されている。これにより、ユーザがスキャナーペンで書き込みを行った位置を認識することができる。
【０２５８】
一方、グラフィック＋ドットコード印刷領域には、同図（ｄ）に示すように、コード値を意味するドットコードが登録されている。コード値とは、ドットコードＮｏのことであり、各アイコンに、異なるドットコードＮｏが登録されている。例えば、「３」のアイコンでは、ドットコードＮｏは３であり、「中止」のアイコンでは、ドットコードＮｏは１１である。このように、異なるドットコードＮｏが登録されていることにより、ユーザがスキャナーペンでアイコンをタッチすると、そのアイコンの内容に対応した処理が行われる。
【０２５９】
図３３は、主に学校のテストや入試に用いるためのアイコンを設けていることを特徴とする。各アイコンの意味は以下の通りである。
【０２６０】
（１）解答領域：手書き入力領域。テスト等における記述式問題に対する解答を手書きする。
【０２６１】
（２）１〜３０：問題番号をチェックする。
【０２６２】
（３）キャンセル：問題番号をキャンセルする。
【０２６３】
（４）送信：解答を問題番号と共に送信する。スキャナーペン側に送信ボタンが設けられていれば、このアイコンは無くてもよい。
【０２６４】
（５）はい：「解答の上書きをして良いか」の音声に「はい」で答える。
【０２６５】
（６）いいえ：「解答の上書きをして良いか」の音声に「いいえ」で答える。
【０２６６】
（７）Ａ〜Ｚ：選択問題に対して答える。
【０２６７】
（８）キャンセル：解答のやり直しをする。
【０２６８】
（９）決定：解答の決定をし、解答を問題番号と共に記憶する。
【０２６９】
また、「消せる範囲Ａ」では、チェックしたすべての軌跡を消すことができる。「消せる範囲Ｂ」では、問題番号をチェックした軌跡まで消すことができる。
【０２７０】
同図（ｂ）は、解答領域に印刷されたドットコードのフォーマットを示す説明図である。
【０２７１】
上述のように、解答領域は手書き入力領域である。この領域には、コードＮｏ．Ａとｘ座標とｙ座標が登録されている。コードＮｏ．Ａとは、手書き入力ボードＩＤ、すなわち、各手書き入力ボードに付与されたＩＤを意味する。ｘ座標およびｙ座標は、それぞれ、媒体上における位置（座標値）を意味するものである。これにより、ユーザがスキャナーペンで解答領域を読み取ると、手書き入力ボードのＩＤおよび読み取った箇所の座標位置が一度の読み取り操作で同時に認識される。
【０２７２】
同図（ｃ）は、解答領域以外の領域、すなわち、問題番号、キャンセル、決定等の各アイコンに印刷されたドットコードのフォーマットを示す説明図である。
【０２７３】
解答領域以外の領域には、コードＮｏ．ＡとコードＮｏ．Ｂが登録されている。コードＮｏ．Ａは、手書き入力ボードＩＤ、すなわち、各手書き入力ボードに付与されたＩＤを意味する。コードＮｏ．Ｂは、選択領域Ｎｏ、すなわち、各アイコンの内容を意味するものである。例えば、「１」のアイコンには、コードＮｏ．Ｂとして、「１」を意味するコードが登録されている。これにより、ユーザが「１」のアイコンを読み取ると、手書き入力ボードのＩＤおよび問題番号「１」がチェックされたことが、一度の読み取り操作で同時に認識される。
【０２７４】
なお、手書き入力ボードＩＤが設けられなくてもよい。また、選択領域Ｎｏとｘ、ｙ座標値だけのドットコードのフォーマットでもよい。
【０２７５】
従来、学校等のテストでは、テストを受ける者一人一人に問題用紙と解答用紙を配るため、紙を非常に消費し、地球環境とコスト、機密性（個人情報の漏洩）に問題があった。本実施例のように、手書き入力ボードを用いてテストを行うようにすると、解答用紙が不要となるため、使用する紙を大幅に減少させることができる。しかもスキャナーペンと手書き入力ボードは繰り返し使用できるため、地球環境の保護にも貢献することができ、機密性も保たれ個人情報の漏洩を抑えることができる。
【０２７６】
また、重要な打ち合わせ結果等の機密性の高い情報などはシュレッダー等を用いて一々処分することなく、すばやく書き込んだ情報を消去できる。
【０２７７】
図３４は、冊子状となっている手書き入力ボード（シート）について説明する図である。
【０２７８】
同図（ａ）のように、本実施例では、手書き入力ボードが冊子状となっており、何枚も綴って持ち歩くことが可能である。イレーザーは、分離して備えられている。たとえば冊子が、施設の検査報告書である場合、各ページには、検査日時や検査結果等を書き込むための書き込み領域が設けられている。この書き込み領域には、ドットパターンが印刷されている。ユーザは、各書き込み領域に必要な情報を書き込み、必要に応じてスキャナーペンに記憶させたり、情報処理装置に送信したりする。
【０２７９】
同図（ｂ）は、ページをめくった状態を示したものである。本実施例では、書き込み領域は用紙の片面（裏面）のみに設けられている。ユーザは、書き込んだ内容を消去したい場合には、裏面を、分離して備えられたイレーザーでこする。強い磁気を帯びたイレーザーも用いれば、すべてのページに書き込まれたものを消去することができる。同図（ｃ）は、書き込み領域におけるドットコードのフォーマットについて説明する図である。各書き込み領域のドットコードには、コードＮｏ．Ｂとx座標とy座標が登録されている。コードＮｏ．Ｂは、書き込み領域Ｎｏを意味しており、領域毎に、異なるコードＮｏが登録されている。これにより、ユーザが書き込みを行うと、スキャナーペンは、どの書き込み領域（たとえば「検査施設名」）で書き込みが行われたかを認識できる。
【０２８０】
同図（d）は、書き込み領域外におけるドットコードのフォーマットであり、それを示すコードＮｏ．Ｂは、選択領域Ｎｏを意味しており、コードＮｏ．Cは、選択項目を意味し、スキャナーペンでタッチしたコードＮｏ．に対応する情報の入出力や操作命令が実行される。なお、さらに手書き入力ボードＩＤが設けられてもよい。もちろん、冊子状となっている手書き入力ボード（シート）は、上記のような印刷はなく、全ての頁が書き込み領域であり、ページを示すＩＤとxy座標だけが定義されたドットパターンが設けられても良い。
【０２８１】
このように、本発明に係る手書き入力ボードは、冊子状にすることも可能である。これにより、検査報告書や出張報告書等、複数のページにわたって記載したい場合にも対応することができる。
【産業上の利用可能性】
【０２８２】
本発明に係る手書き入力ボードは、学校の授業での先生や生徒の入力やネット上での発言、家族同士の伝言板、幼児用お絵描き玩具、会社での会議、受付処理、コンピュータへの文字入力、オーダーエントリー等、あらゆる用途に利用できる。なお、薄型・軽量の手書き入力ボードと合わせて、胸ポケットに納まるほど軽くて小さい付属のスキャナーペンを利用できるため、極めて携帯性に優れており持ち歩いて使用する備品管理や様々な調査・報告にも利用できる。
【符号の説明】
【０２８３】
１  ドットパターン
２  キードット
３  情報ドット
４  基準格子点ドット
５  仮想点
６ａ，６ｂ，６ｃ，６ｄ，６ｅ  基準点ドット
６ｆ，６ｇ，６ｈ，６ｉ，１０  仮想基準点
７  基準ドット
８  第一の仮想基準線
９  第二の仮想基準線
【図１】
0005888838.tif 000002
【図２】
0005888838.tif 000003
【図３】
0005888838.tif 000004
【図４】
0005888838.tif 000005
【図５】
0005888838.tif 000006
【図６】
0005888838.tif 000007
【図７】
0005888838.tif 000008
【図８】
0005888838.tif 000009
【図９】
0005888838.tif 000010
【図１０】
0005888838.tif 000011
【図１１】
0005888838.tif 000012
【図１２】
0005888838.tif 000013
【図１３】
0005888838.tif 000014
【図１４】
0005888838.tif 000015
【図１５】
0005888838.tif 000016
【図１６】
0005888838.tif 000017
【図１７】
0005888838.tif 000018
【図１８】
0005888838.tif 000019
【図１９】
0005888838.tif 000020
【図２０】
0005888838.tif 000021
【図２１】
0005888838.tif 000022
【図２２】
0005888838.tif 000023
【図２３】
0005888838.tif 000024
【図２４】
0005888838.tif 000025
【図２５】
0005888838.tif 000026
【図２６】
0005888838.tif 000027
【図２７】
0005888838.tif 000028
【図２８】
0005888838.tif 000029
【図２９】
0005888838.tif 000030
【図３０】
0005888838.tif 000031
【図３１】
0005888838.tif 000032
【図３２】
0005888838.tif 000033
【図３３】
0005888838.tif 000034
【図３４】
0005888838.tif 000035